(57)【要約】      （修正有）【課題】簡単な作業で位置調整して、パネルユニットを固定できるパネル取付装置を提供する。【解決手段】ガイドキャリッジ７３は、第１及び第２ガイドレール７１，７２に沿って移動自在にされる。第１及び第２パネル連結体２，３は、ガイドキャリッジ７３に固定されると共に、各パネルユニットＰＵ１，ＰＵ２の夫々に固定される。ガイドキャリッジ７３を移動することで、各パネルユニットＰＵ１，ＰＵ２又は第１及び第２パネル連結体２，３に対して微調整（位置調整）する構成である。【選択図】図３７
0003180210.tif 000002
【実用新案登録請求の範囲】
【請求項１】
パネル、及び前記パネル外縁を支持するパネル枠を含んでなり、前記パネル枠は前記パネルに平行配置される枠平板部を有するパネルユニットにおいて、
一のパネルユニット及び他の一のパネルユニットを固定するパネル取付具であって、
［Ａ］第１取付表平板部及び第１取付裏平板部を平行配置し、前記各平板部間に第１ガイド溝を形成する第１ガイドレールと、
［Ｂ］第２取付表平板部及び第２取付裏平板部を平行配置し、前記各平板部間に第２ガイド溝を形成する第２ガイドレールと、
［Ｃ］前記各ガイド溝内に摺動自在に配置される第１及び第２ガイド突起を有し、前記第１及び第２ガイドレール間に位置され、前記各ガイドレールに沿って移動自在にされるガイドキャリッジと、
［Ｄ］連結表平面及び連結裏平面を平行配置する第１連結平板部、及び第１固定板部を連続して有し、前記連結表平面を前記一のパネルユニットの枠平板部に当接して平行配置する第１パネル連結体と、
［Ｅ］連続表平面及び連続裏平面を平行配置する第２連結平板部、及び第２固定板部を連続して有し、前記連結表平面を前記他の一のパネルユニットの枠平板部に当接して平行配置する第２パネル連結体と、
［Ｆ］前記第１連結平板部及び前記枠平板部を挿通する第１連結ボルト、及び前記第１連結ボルトに螺着される第１連結ナットを有し、前記第１パネル連結体を前記一のパネルユニットに固定する第１締結体と、
［Ｇ］前記第２連結平板部及び前記枠平板部を挿通する第２連結ボルト、及び前記第２連結ボルトに螺着される第２連結ナットを有し、前記第２パネル連結体を前記他の一のパネルユニットに固定する第２締結体と、
［Ｈ］固定ボルト及び固定ナットを有し、前記固定ボルトは前記ガイドキャリッジに固定され、前記第１及び第２ガイドレール間から突出される固定締結体と、
を含んで構成され、
［Ｈ］前記第１及び第２ガイドレールにおいて、
前記第１及び第２取付表平板部は、同一平面で平行配置され、
［Ｉ］前記第１パネル連結体において、
前記第１連結平板部は、前記連結裏平面を前記取付表平板部に当接して、一方の前記ガイドレールに平行配置され、
前記第１固定板部は、前記ガイドキャリッジ上に配置され、
［Ｊ］前記第２パネル連結体において、
前記第２連結平板部は、前記連結裏平面を前記取付平板部に当接して、他方の前記ガイドレールに平行配置され、
前記第２固定板部は、前記第１固定板部上に重ね配置され、
［Ｋ］前記固定締結体において、
固定ボルトは、前記重ね配置した各固定板部を挿通して、前記第２固定板部から突出され、
前記固定ナットは、前記固定ボルトとで前記重ね配置した各固定板部及び前記ガイドキャリッジを締結して、前記第１及び第２パネル連結体を前記キャリッジに固定し、
［Ｌ］前記第１及び第２パネル連結体、前記ガイドキャリッジにおいて、
前記各連結平板部及び前記各ガイド突起は、前記固定ボルト及び前記固定ナットによる締結に伴って、前記取付表平板部を挟持して、前記ガイドキャリッジを前記第１及び第２ガイドレールに固定する
ことを特徴とするパネル取付装置。
【請求項２】
一のパネル及び他の一のパネルを固定するパネル取付装置であって、
［ａ］第１取付表平板部及び第１取付裏平板部を平行配置し、前記各平板部間に第１ガイド溝を形成する第１ガイドレールと、
［ｂ］第２取付表平板部及び第２取付裏平板部を平行配置し、前記各平板部間に第２ガイド溝を形成する第２ガイドレールと、
［ｃ］前記各ガイド溝内に摺動自在に配置される第１及び第２ガイド突起を有し、前記第１及びガイドレール間に位置して、前記各ガイドレールに沿って移動自在にされるガイドキャリッジと、
［ｄ］連結表平面及び連結裏平面を平行配置する第１連結平板部、及び第１固定板部を連続して有し、前記連結表平面を前記一のパネルに当接して平行配置する第１パネル連結体と、
［ｅ］連続表平面及び連続裏平面を平行配置する第２連結平板部、及び第２固定板部を連続して有し、前記連結表平面を前記他の一のパネルに当接して平行配置する第２パネル連結体と、
［ｆ］前記第１連結平板部及び前記枠平板部を挿通する第１連結ボルト、及び前記第１連結ボルトに螺着される第１連結ナットを有し、前記第１パネル連結体を前記一のパネルに固定する第１締結体と、
［ｇ］前記第２連結平板部及び前記枠平板部を挿通する第２連結ボルト、及び前記第２連結ボルトに螺着される第２連結ナットを有し、前記第２パネル連結体を前記他の一のパネルに固定する第２締結体と、
［ｈ］固定ボルト及び固定ナットを有し、前記固定ボルトは前記ガイドキャリッジに固定され、前記第１及び第２ガイドレール間から突出される固定締結体と、
を含んで構成され、
［ｈ］前記第１及び第２ガイドレールにおいて、
前記第１及び第２取付表平板部は、同一平面で平行配置され、
［ｉ］前記第１パネル連結体において、
前記第１連結平板部は、前記連結裏平面を前記取付表平板部に当接して、一方の前記ガイドレールに平行配置され、
前記第１固定板部は、前記ガイドキャリッジ上に配置され、
［ｊ］前記第２パネル連結体において、
前記第２連結平板部は、前記連結裏平面を前記取付平板部に当接して、他方の前記ガイドレールに平行配置され、
前記第２固定板部は、前記第１固定板部上に重ね配置され、
［ｋ］前記固定締結体において、
固定ボルトは、前記重ね配置した各固定板部を挿通して、前記第２固定板部から突出され、
前記固定ナットは、前記固定ボルトとで前記重ね配置した各固定板部及び前記ガイドキャリッジを締結して、前記第１及び第２パネル連結体を前記キャリッジに固定し、
［ｌ］前記第１及び第２パネル連結体、前記ガイドキャリッジにおいて、
前記各連結平板部及び前記各ガイド突起は、前記固定ボルト及び前記固定ナットによる締結に伴って、前記取付表平板部を挟持して、前記ガイドキャリッジを前記第１及び第２ガイドレールに固定する
ことを特徴とするパネル取付装置。
【請求項３】
前記第１パネル連結体において、
前記第１連結平板部は、前記連結表平面及び前記連結裏平面間で板厚を有し、
前記第２パネル連結体において、
前記第２連結平板部は、前記連結表平面及び前記連結裏平面間で、前記第１連結平板部と同一板厚を有する
ことを特徴とする請求項１又は２に記載のパネル取付装置。
【考案の詳細な説明】
【技術分野】
【０００１】
本考案は、パネルユニット（太陽電池パネルユニット等）を固定するパネル取付装置に関する。
【背景技術】
【０００２】
太陽電池パネルユニットを固定する技術として、特許文献１は、太陽電池モジュール設置用ベースレール（以下「ベースレール」と称する）を開示する。このベースレールは、底板部、及び第１、第２固定台を一体に備え、第１及び第２固定台の夫々に太陽電池モジュールを固定（連結）する。また、ベースレールは、底板部の複数の長穴（ボルト挿通穴）及びボルトによって、太陽電池モジュールに対して、第１及び第２固定台を微調整（位置調整）する。
【０００３】
しかしながら、特許文献１において、位置調整をするには、ベースレール全体を太陽電池モジュールに対して移動する必要があり、作業性に劣る虞がある。
【先行技術文献】
【特許文献】
【０００４】
【特許文献１】特開２００７−３５９２８号公報
【考案の概要】
【考案が解決しようとする課題】
【０００５】
本考案は、簡単な作業で位置調整して、パネルユニットを固定できるパネル取付装置を提供することである。
【課題を解決するための手段】
【０００６】
本考案に係る請求項１は、パネル、及び前記パネル外縁を支持するパネル枠を含んでなり、前記パネル枠は前記パネルに平行配置される枠平板部を有するパネルユニットにおいて、一のパネルユニット及び他の一のパネルユニットを固定するパネル取付装置であって、第１取付表平板部及び第１取付裏平板部を平行配置し、前記各平板部間に第１ガイド溝を形成する第１ガイドレールと、第２取付表平板部及び第２取付裏平板部を平行配置し、前記各平板部間に第１ガイド溝を形成する第２ガイドレールと、前記各ガイド溝内に摺動自在に配置される第１及び第２ガイド突起を有し、前記第１及び第２ガイドレール間に配置され、前記各ガイドレールに沿って移動自在にされるガイドキャリッジと、連結表平面及び連結裏平面を平行配置する第１連結平板部、及び第１固定板部を連続して有し、前記連結表平面を前記一のパネルユニットの枠平板部に当接して平行配置する第１パネル連結体と、連結表平面及び連結裏平面を平行配置する第２連結平板部、及び第２固定板部を連続して有し、前記連結表平面を前記他の一のパネルユニットの枠平板部に当接して平行配置する第２パネル連結体と、前記第１連結平板部及び前記枠平板部を挿通する第１連結ボルト、及び前記第１連結ボルトに螺着される第１連結ナットを有し、前記第１パネル連結体を前記一のパネルユニットに固定する第１締結体と、前記第２連結平板部及び前記枠平板部を挿通する第２連結ボルト、及び前記第２連結ボルトに螺着される第２連結ナットを有し、前記第２パネル連結体を前記他の一のパネルユニットに固定する第２締結体と、固定ボルト及び固定ナットを有し、前記固定ボルトは前記ガイドキャリッジに固定され、前記第１及び第２ガイドレール間から突出される固定締結体と、を含んで構成され、前記第１及び第２ガイドレールにおいて、前記第１及び第２取付表平板部は、同一平面で平行配置され、前記第１パネル連結体において、前記第１連結平板部は、前記連結裏平面を前記取付表平板部に当接して、一方の前記ガイドレールに平行配置され、前記第１固定板部は、前記ガイドキャリッジ上に配置され、前記第２パネル連結体において、前記第２連結平板部は、前記連結裏平面を前記取付表平板部に当接して、他方の前記ガイドレールに平行配置され、前記第２固定板部は、前記第１固定板部に上に重ね配置され、前記固定締結体において、前記固定ボルトは、前記重ね配置した各固定板部を挿通して、前記第２固定板部から突出され、前記固定ナットは、前記固定ボルトとで前記重ね配置した各固定板部及び前記ガイドキャリッジを締結して、前記第１及び第２パネル連結体を前記ガイドキャリッジに固定し、前記第１及び第２パネル連結体、及び前記ガイドキャリッジにおいて、前記各連結平板部及び前記各ガイド突起は、前記固定ボルト及び前記固定ナットによる締結に伴って、前記取付表平板部を挟持して、前記ガイドキャリッジを前記第１及び第２ガイドレールに固定することを特徴とするパネル取付装置に関する。
【０００７】
本考案に係る請求項２は、一のパネル及び他の一のパネルを固定するパネル取付装置であって、第１取付表平板部及び第１取付裏平板部を平行配置し、前記各平板間に第１ガイド溝を形成する第１ガイドレールと、第２取付表平板部及び第２取付裏平板部を平行配置し、前記各平板部間に第２ガイド溝を形成する第２ガイドレールと、前記各ガイド溝内に摺動自在に配置される第１及び第２ガイド突起を有し、前記第１及び第２ガイドレール間に配置され、前記各ガイドレールに沿って移動自在にされるガイドキャリッジと、
連結表平面及び連結裏平面を平行配置する第１連結平板部、及び第１固定板部を連続して有し、前記連結表平面を前記一のパネルに当接して平行配置する第１パネル連結体と、連結表平面及び連結裏平面を平行配置する第２連結平板部、及び第２固定板部を連続して有し、前記連結表平面を前記他の一のパネルに当接して平行配置する第２パネル連結体と、前記第１連結平板部及び前記枠平板部を挿通する第１連結ボルト、及び前記第１連結ボルトに螺着される第１連結ナットを有し、前記第１パネル連結体を前記一のパネルに固定する第１締結体と、前記第２連結平板部及び前記枠平板部を挿通する第２連結ボルト、及び前記第２連結ボルトに螺着される第２連結ナットを有し、前記第２パネル連結体を前記他の一のパネルに固定する第２締結体と、固定ボルト及び固定ナットを有し、前記固定ボルトは前記ガイドキャリッジに固定され、前記第１及び第２ガイドレール間から突出される固定締結体と、を含んで構成され、前記第１及び第２ガイドレールにおいて、前記第１及び第２取付表平板部は、同一平面で平行配置され、前記第１パネル連結体において、前記第１連結平板部は、前記連結裏平面を前記取付表平板部に当接して、一方の前記ガイドレールに平行配置され、前記第１固定板部は、前記ガイドキャリッジ上に配置され、前記第２パネル連結体において、前記第２連結平板部は、前記連結裏平面を前記取付表平板部に当接して、他方の前記ガイドレールに平行配置され、前記第２固定板部は、前記第１固定板部に上に重ね配置され、前記固定締結体において、前記固定ボルトは、前記重ね配置した各固定板部を挿通して、前記第２固定板部から突出され、前記固定ナットは、前記固定ボルトとで前記重ね配置した各固定板部及び前記ガイドキャリッジを締結して、前記第１及び第２パネル連結体を前記ガイドキャリッジに固定し、前記第１及び第２パネル連結体、及び前記ガイドキャリッジにおいて、前記各連結平板部及び前記各ガイド突起は、前記固定ボルト及び前記固定ナットによる締結に伴って、前記取付表平板部を挟持して、前記ガイドキャリッジを前記第１及び第２ガイドレールに固定することを特徴とするパネル取付装置に関する。
【０００８】
本考案に係る請求項３は、前記第１パネル連結体において、前記第１連結平板部は、前記連結表平面及び前記連結裏平面間で板厚を有し、前記第２パネル連結体において、前記第２連結平板部は、前記連結表平面及び前記連結裏平面間で、前記第１連結平板部と同一板厚を有することを特徴とするパネル取付装置に関する。
【考案の効果】
【０００９】
本考案に係る請求項１では、ガイドキャリッジを第１及び第２ガイドレールに沿って移動自在として、第１及び第２ガイドレールに配置する。これにより、ガイドキャリッジを移動することで、パネルユニット（各パネル連結体）に対して微調整（位置調整）して配置でき、第１及び第２ガイドレールを移動する必要がないので、作業性に優れている。また、ガイドキャリッジをパネルユニット（第１及び第２パネル連結体）の任意位置に配置でき、例えば、異なる仕様のパネルユニットであっても、第１及び第２ガイドレールを移動することなく、簡単な作業で位置調整して固定することができる。
請求項１では、第１及び第２締結体は、第１及び第２連結ボルト及び第１及び第２連結ナットで第１及び第２連結平板部及び各パネルユニットの枠平板部を締結（締付）することで、第１及び第２パネル連結体を各パネルユニットに固定する。第１及び第２連結ボルトは、第１及び第２連結平板部及び各枠平板部を挿通している。これにより、第１及び第２締結体において、各連結ボルト及び各連結ネットの締結が緩んでも、第１及び第２パネル連結体を各パネルユニットに保持でき、各パネルユニットの外れを抑制できる。また、固定締結体は、固定ボルト及び固定ナットで重ね配置した各固定板部を締結（締付）することで、第１及び第２パネル連結体をガイドキャリッジに固定する。固定ボルトは、重ね配置した各固定板部を挿通している。これにより、固定締結体において、固定ボルト及び固定ナットの締結が緩んでも、第１及び第２パネル連結体をガイドキャリッジに保持でき、各パネルユニットの外れを抑制できる。
請求項１では、第１及び第２パネル連結体において、第１及び第２連結平板部は、各パネルユニットの枠平板部及び第１及び第２ガイドレールの取付表平板部に平行配置される。また、第１及び第２ガイドレールの取付表平板部は同一平面で平行配置される。これにより、各パネルユニットのパネルは、第１及び第２ガイドレールの取付表平板部に平行配置できる。
請求項１では、第１及び第２パネル連結体において、第１及び第２固定板部を重ね配置し、固定締結体の固定ボルト及び固定ナットでガイドキャリッジに固定しているので、固定ナットを固定ボルトから取外しことで、各パネルユニットを取外すことができる。一のパネルユニットの取外しは、他の一のパネルユニットを取外すことなくできる。
請求項１では、第１及び第２パネル連結体において、第１及び第２固定板部を重ね配置するので、各パネルユニット間の間隔を抑制して、各パネルユニットを固定できる。
【００１０】
本考案に係る請求項２では、ガイドキャリッジを第１及び第２ガイドレールに沿って移動自在として、第１及び第２ガイドレールに配置する。これにより、ガイドキャリッジを移動することで、パネル（第１及び第２パネル連結体）に対して微調整（位置調整）して配置でき、第１及び第２ガイドレールを移動する必要がないので、作業性に優れている。また、ガイドキャリッジをパネルの任意位置に配置でき、例えば、異なる仕様のパネルであっても、第１及び第２ガイドレールを移動することなく、簡単な作業で位置調整して固定することができる。
請求項２では、第１及び第２締結体は、第１及び第２連結ボルト及び第１及び第２連結ナットで第１及び第２連結平板部及び各パネルを締結（締付）することで、第１及び第２パネル連結体を各パネルに固定する。第１及び第２連結ボルトは、第１及び第２連結平板部及び各枠平板部を挿通している。これにより、第１及び第２締結体において、各連結ボルト及び各連結ネットの締結が緩んでも、第１及び第２パネル連結体を各パネルに保持でき、各パネルの外れを抑制できる。また、固定締結体は、固定ボルト及び固定ナットで重ね配置した各固定板部を締結（締付）することで、第１及び第２パネル連結体をガイドキャリッジに固定する。固定ボルトは、重ね配置した各固定板部を挿通している。これにより、固定締結体において、固定ボルト及び固定ナットの締結が緩んでも、第１及び第２パネル連結体をガイドキャリッジに保持でき、各パネルユニットの外れを抑制できる。
請求項２では、第１及び第２パネル連結体において、第１及び第２連結平板部は、各パネル及び第１及び第２ガイドレールの取付表平板部に平行配置される。また、第１及び第２ガイドレールの取付表平板部は同一平面で平行配置される。これにより、各パネルは、第１及び第２ガイドレールの取付表平板部に平行配置できる。
請求項２では、第１及び第２パネル連結体において、第１及び第２固定板部を重ね配置し、固定締結体の固定ボルト及び固定ナットでガイドキャリッジに固定しているので、固定ナットを固定ボルトから取外すことで、各パネルを取外すことができる。一のパネルの取外しは、他の一のパネルを取外すことなくできる。
請求項２では、第１及び第２パネル連結体において、第１及び第２固定板部を重ね配置するので、各パネル間の間隔を抑制して、各パネルを固定できる。
【００１１】
本考案に係る請求項３では、第１及び第２パネル連結体において、第１及び第２連結平板部は、連結表平面及び連結表平面間で同一板厚を有するので、各パネルを第１及び第２ガイドレールの取付表平板部に平行する同一平面で平行配置できる。
【図面の簡単な説明】
【００１２】
【図１】第１実施形態のパネル取付装置の構成を示す構成図である。
【図２】第１実施形態のパネル取付装置を構成する第１及び第２ガイドレール（ガイドレール体）であって、（ａ）は平面図、（ｂ）は図２（ａ）のＡ−Ａ断面図である。
【図３】第１実施形態のパネル取付装置を構成する第１パネル連結体であって、（ａ）は平面図、（ｂ）は側面図、（ｃ）は図３（ａ）のＢ−Ｂ断面図である。
【図４】第１実施形態のパネル取付装置を構成する第２パネル連結体であって、（ａ）は平面図、（ｂ）は側面図、（ｃ）は図３（ａ）のＣ−Ｃ断面図である。
【図５】第１実施形態のパネル取付装置を構成するガイドキャリッジであって、（ａ）は平面図、（ｂ）は側面図、（ｃ）は図５（ａ）のＤ−Ｄ断面図である。
【図６】第２実施形態のパネル取付装置の構成を示す構成図である。
【図７】第２実施形態のパネル取付装置の構成する補足平板体であって、（ａ）は、平面図、（ｂ）は図７（ａ）のＥ−Ｅ断面図である。
【図８】第３実施形態のパネル取付装置の構成を示す構成図である。
【図９】太陽電池パネル組立体、及び太陽電池アレイを示す平面図である。
【図１０】太陽電池パネルユニットであって、（ａ）は平面図、（ｂ）は裏面図、（ｃ）は図１０（ａ）のＦ−Ｆ断面図である。
【図１１】第１乃至第３実施形態のパネル取付装置を構成するガイドキャリッジに固定ボルトを固定した図（第１工程）であって、（ａ）は平面図、（ｂ）は裏面図、（ｃ）は側面図である。
【図１２】第１乃至第３実施形態のパネル取付装置を構成する各ガイドレール体（第１及び第１ガイドレール）の配置を示す平面図である。
【図１３】第１乃至第３実施形態のパネル取付装置において、ガイドキャリッジを第１及び第２ガイドレール（ガイドレール体）に配置する図（第２工程）であって、（ａ）は平面図、（ｂ）は側面図である。
【図１４】第１実施形態のパネル取付装置において、第１及び第２パネル連結体を太陽電池パネルユニットに固定する平面図（第４工程）である。
【図１５】第１実施形態のパネル取付装置において、第１パネル連結体を太陽電池パネルユニットに固定する図（第４工程）であって、（ａ）は拡大平面図、（ｂ）は図１５（ａ）のＧ−Ｇ矢視図である。
【図１６】第１実施形態のパネル取付装置において、第２パネル連結体を太陽電池パネルユニットに固定する図（第４工程）であって、（ａ）は拡大平面図、（ｂ）は図１６（ａ）のＨ−Ｈ矢視図である。
【図１７】第１実施形態のパネル取付装置において、第１及び第２パネル連結体を太陽パネルユニットに固定する平面図（第５工程）である。
【図１８】第１実施形態のパネル取付装置において、第１パネル連結体を太陽電池パネルユニットに固定する図（第５工程）であって、（ａ）は拡大平面図、（ｂ）は図１８（ａ）のＩ−Ｉ矢視図である。
【図１９】第１実施形態のパネル取付装置において、第２パネル連結体を太陽電池パネルユニットに固定する図（第５工程）であって、（ａ）は拡大平面図、（ｂ）は図１９（ａ）のＪ−Ｊ矢視図である。
【図２０】第２実施形態のパネル取付装置において、選択パネル連結体を太陽電池パネルユニットに固定する平面図（第６工程）である。
【図２１】第２実施形態のパネル取付装置において、選択パネル連結体を太陽電池パネルユニットに固定する図（第６工程）であって、（ａ）は拡大平面図、（ｂ）は図２１（ａ）のＫ―Ｋ矢視図である。
【図２２】第３実施形態のパネル取付装置において、選択パネル連結体を太陽電池パネルユニットに固定する平面図（第７工程）である。
【図２３】第３実施形態のパネル取付装置において、選択パネル連結体を太陽電池パネルユニットに固定する図（第７工程）であって、（ａ）は拡大平面図、（ｂ）は図２３（ａ）のＬ−Ｌ矢視図である。
【図２４】下段・太陽電池パネルユニットを各パネル取付体に配置する平面図（８工程）である。
【図２５】第３実施形態のパネル取付装置において、補足平板体をガイドレール体（第１及び第２ガイドレール）に配置する図（第８工程）であって、（ａ）は拡大平面図、（ｂ）は図２５（ａ）のＭ−Ｍ矢視図である。
【図２６】第１実施形態のパネル取付装置において、下段・太陽電池パネルユニットの第１パネル連結体をガイドレール体に配置する図（第８工程）であって、（ａ）は拡大平面図、（ｂ）は図２６（ａ）のＮ−Ｎ矢視図である。
【図２７】第３実施形態のパネル取付装置において、下段・太陽電池パネルユニットの選択パネル連結体をガイドレール体に配置する図（第８工程）であって、（ａ）は拡大平面図（ｂ）は図２７（ａ）のＯ−Ｏ矢視図である。
【図２８】上段・太陽電池パネルユニットを各ガイドレール体に配置する平面図（第９工程）である。
【図２９】第２実施形態のパネル取付装置において、上段・太陽電池パネルユニットの選択パネル連結体をガイドレール体に配置する図（第９工程）であって、（ａ）は拡大平面図、（ｂ）は図２９（ａ）のＰ−Ｐ矢視図である。
【図３０】第１実施形態のパネル取付装置において、上段・太陽電池パネルユニットの第１パネル連結体をガイドレール体に配置する図（第９工程）であって、（ａ）は拡大平面図、（ｂ）は図３０（ａ）のＱ−Ｑ矢視図である。
【図３１】中段・太陽電池パネルユニットを各ガイドレール体に配置する平面図（第１０工程）である。
【図３２】第１実施形態のパネル取付装置において、中段・太陽電池パネルユニットの第２パネル連結体を下段・太陽電池パネルユニットの第１パネル連結体に配置する拡大平面図（第１０工程）である。
【図３３】図３２のＲ−Ｒ矢視拡大図である。
【図３４】第１実施形態のパネル取付装置において、中段・太陽電池パネルユニットの第２パネル連結体を上段・太陽電池パネルユニットの第１パネル連結体に配置する拡大平面図である。
【図３５】図３４のＳ−Ｓ矢視拡大図である。
【図３６】第１実施形態のパネル取付装置において、下段及び中段・太陽電池パネルユニットの第１及び第２パネル連結体をガイドレール体に固定する拡大平面（第１１工程）である。
【図３７】図３６のＴ−Ｔ矢視拡大図である。
【図３８】第１実施形態のパネル取付装置において、中段及び上段・太陽電池パネルユニットの第１及び第２パネル連結体をガイドレール体に固定する拡大平面図（第１１工程）である。
【図３９】図３８のＵ−Ｕ矢視拡大図である。
【図４０】第２実施形態のパネル取付装置において、上段・太陽電池パネルユニットの選択パネル連結体をガイドレール体に固定する図（第１１工程）であって、（ａ）は拡大平面図、（ｂ）は図４０（ａ）のＶ−Ｖ矢視図である。
【図４１】第３実施形態のパネル取付装置において、下段・太陽電池パネルユニットの選択パネル連結体をガイドレール体に固定する図（第１１工程）であって、（ａ）は拡大平面図、（ｂ）は図４１（ａ）のＷ−Ｗ矢視図である。
【図４２】太陽電池アレイ組立体を設置する図であって、（ａ）は家屋の屋根の側面図、（ｂ）はビルの側面図である。
【図４３】建材パネルの図であって、（ａ）は平面図、（ｂ）は図４３（ａ）のＸ−Ｘ矢視図である。
【図４４】建材パネル組立体、建材パネルアレイを示す平面図である。
【図４５】第１実施形態のパネル取付装置において、第１及び第２パネル連結体を各建材パネルに固定する図である。
【図４６】選択パネル連結体を建材パネルに固定する図であって、（ａ）は第２実施形態のパネル取付装置において選択パネル連結体を建材パネルに固定する図、（ｂ）は第３実施形態のパネル取付装置において選択パネル連結体を建材パネルに固定する図である。
【考案を実施するための形態】
【００１３】
第１乃至第３実施形態のパネル取付装置について、図１乃至図４６を参照して説明する。
【００１４】
図８乃至図４５において、第１乃至第３実施形態のパネル取付装置（Ｘ），（Ｙ），（Ｚ）は、パネルユニット（ＰＵ）、例えば太陽電池パネルユニットを固定（連結）する。
【００１５】
＜第１実施形態＞
第１実施形態のパネル取付装置（Ｘ）について、図１乃至図５を参照して説明する。
【００１６】
図１乃至図５において、第１実施形態のパネル取付装置（Ｘ：以下「第１パネル取付装置（Ｘ）」と称する）は、一のパネルユニット（ＰＵ）及び他の一のパネルユニット（ＰＵ）を固定する（図３６乃至図３９参照）。
第１パネル取付具（Ｘ）は、図１乃至図５に示すように、第１ガイドレール（７１）、第２ガイドレール（７２）、第１パネル連結体（２）、第２パネル連結体（３）、第１締結体（４）、第２締結体（５）、固定締結体（６）及びガイドキャリッジ（７３：ガイド移動体）を含んで構成される。
【００１７】
第１ガイドレール（７１）は、図１及び図２に示すように、第１取付表平板部（７５）及び第１取付裏平板部（７６）を有している。第１ガイドレール（７１）は、上下方向（ＵＴ）において、第１取付表平板部（７５）及び第１取付裏平板部（７６）を平行配置し、第１取付表平板部（７５）及び第１取付裏平板部（７８）間に第１ガイド溝（７７）を形成する。第１取付表平板部（７５）は、取付表平面（７５ａ）及び取付裏平面（７５ｂ）を有し、上下方向（ＵＴ）において、取付表平面（７５ａ）及び取付裏平面（７５ｂ）を平行配置する。
【００１８】
第２ガイドレール（７２）は、第２取付表平板部（７８）及び第２取付裏平板部（７９）を有する。第２ガイドレール（７２）は、上下方向（ＵＴ）において、第２取付表平板部（７８）及び第２取付裏平板部（７９）を平行配置し、第２取付表平板部（７８）及び第２取付裏平板部（７９）間に第２ガイド溝（８０）を形成する。第２取付表平板部（７８）は、取付表平面（７８ａ）及び取付裏平面（７８ｂ）を有し、上下方向（ＵＴ）において、取付表平面（７８ａ）及び取付裏平面（７８ｂ）を平行配置する。
【００１９】
第１及び第２ガイドレール（７１），（７２）は、例えばアルミニウム合金で一体形成され、ガイドレール体（１）を構成する。ガイドレール体（１）は、第１及び第２ガイドレール（７１），（７２）を備え、断面矩形に形成される。ガイドレール体（１）は収納空所（８２）を有する。
ガイドレール体（１）において、第１及び第２ガイドレール（７１），（７２）は、ガイドレール体（１）の幅方向（ＨＴ）において、間隔：Ｅを隔てて配置される。
第１及び第２ガイドレール（７１），（７２）は、第１及び第２ガイド溝（７７），（８０）を対向配置され、ガイドレール体（１）の収納空所（８２）に開口している。
第１及び第２ガイドレール（７１）、（７２）において、第１及び第２取付表平板部（７５），（７８）は、同一平面（Ａ）で平行配置される。
第１及び第２ガイドレール（７１），（７２）は、幅方向（ＨＴ）に直交する長手方向（ＮＴ）に延設される。
【００２０】
第１パネル連結体（２）は、図１及び図３に示すように、例えば、１枚の矩形平板（長方形平板）で構成される。
第１パネル連結体（２）は、第１連結平板部（１０）及び第１固定平板部（１１：第１固定板部）を連続して有する。第１パネル連結体（２）は、例えば、アルミニウム合金で形成される。
【００２１】
第１連結平板部（１０）は、連結表平面（１０ａ）及び連結裏平面（１０ｂ）を有する。第１連結平板部（１０）は、第１パネル連結体（２）の長手方向（ＮＴ）に直交する上下方向（ＵＴ）において、連結表平面（１０ａ）及び連結裏平面（１０ｂ）間で板厚：Ｔ（間隔：Ｔ）を有して、連結表平面（１０ａ）及び連結裏平面（１０ｂ）を平行配置している。
第１連結平板部（１０）は、連結穴（１２）を有している。連結穴（１２）は、上下方向（ＵＴ）において、第１連結平板部（１０）を挿通（貫通）して、連結裏平面（１０ａ）及び連結裏平面（１０ｂ）に開口している。連結穴（１２）は、図３に示すように、連結表平面（１０ａ）及び連結裏平面（１０ｂ）の中心に配置される。
【００２２】
第１固定平板部（１１）は、長手方向（ＮＴ）において、第１連結平板部（１１）に連続して形成される。
第１固定平板部（１１）は、上下方向（ＵＴ）において、第１連結平板部（１０）の連結表平面（１０ａ）から段差：Ｔ／２を持って配置され、また、第１固定平板部（１１）は、連結裏平面（１０ｂ）から第１連結平板部（１０）の半分板厚：Ｔ／２を持って形成される。第１固定平板部（１１）は、連結裏平面（１０ｂ）、及び連結裏平面（１０ｂ）に平行する接触表平面（１１ａ）を有している。
第１固定平板部（１１）は、上下方向（ＵＴ）において、連結裏平面（１０ｂ）及び接触表平面（１１ａ）間で板厚：Ｔ／２（間隔：Ｔ／２）を隔てて、連結裏平面（１０ｂ）及び接触表平面（１１ａ）を平行配置している。
第１固定平板部（１１）は、ナット収納穴（１４）を有している。ナット収納穴（１４）は、接触表平面（１１ａ）に直交する上下方向（ＵＴ）において、第１固定平板部（１１）を挿通（貫通）する。ナット収納穴（１４）は、連結裏平面（１０ｂ）及び接触表平面（１１ａ）に開口している。ナット収納穴（１４）は、第１固定平板部（１１）連結裏平面（１０ｂ）及び接続表平面（１１ａ）の中心に配置される。
【００２３】
第２パネル連結体（３）は、図１及び図４に示すように、第１パネル連結体（２）と同一構成である。
第２パネル連結体（３）は、１枚の矩形平板（長方形平板）で構成され、第２連結平板部（２０）及び第２固定平板部（２１：第２固定板部）を連続して有する。第２パネル連結体（２）は、例えばアルミニウム合金で形成される。
【００２４】
第２連結平板部（２０）は、連結表平面（２０ａ）及び連結裏平面（２０ｂ）を有する。第２連結平板部（２０）は、第２パネル連結体（３）の長手方向（ＮＴ）に直交する上下方向（ＵＴ）において、連結表平面（２０ａ）及び連結裏平面（２０ｂ）間で板厚：Ｔ（間隔：Ｔ）を有して、連結表平面（２０ａ）及び連結裏平面（２０ｂ）を平行配置している。
これにより、第１及び第２パネル連結体（２），（３）において、各連結平板部（１０），（２０）は、図３及び図４に示すように、連結表平面（１０ａ），（２０ａ）及び連結裏平面間（１０ｂ），（２０ｂ）で同一板厚：Ｔ（同一間隔：Ｔ）を有して、連結表平面（１０ａ），（２０ａ）及び連結裏平面（１０ｂ），（２０ｂ）を平行配置する。
【００２５】
第２連結平板部（２０）は、連結穴（２２）を有している。連結穴（２２）は、上下方向（ＵＴ）において、第２連結平板部（２０）を挿通（貫通）して、連結表平面（２０ａ）及び連結裏平面（２０ｂ）に開口している。連結穴（２２）は、図４に示すように、連結表平面（２０ａ）及び連結裏平面（２０ｂ）の中心に配置される。
【００２６】
第２固定平板部（２１）は、長手方向（ＮＴ）において、第２連結平板部（２０）に連続して形成される。
第２固定平板部（２１）は、上下方向（ＵＴ）において、第２連結平板部（２０）の連結裏平面（２０ｂ）から段差：Ｔ／２を持って配置され、また、第２固定平板部（２１）は、連結表平面（２０ａ）から第２連結平板部（２０）の半分板厚：Ｔ／２を持って形成される。第２固定平板部（２１）は、連結表平板（２０ａ）、及び連結表平面（２０ａ）に平行する接触裏平面（２１ｂ）を有している。
第２固定平板部（２１）は、上下方向（ＵＴ）において、連結表平面（２０ａ）及び接触裏平面（２１ｂ）間で板厚：Ｔ／２（間隔：Ｔ／２）を隔てて、連結表平面（２０ａ）及び接触裏平面（２１ｂ）を平行配置している。
第２固定平板部（２１）は、ナット収納穴（２４）を有している。ナット収納穴（２４）は、接触裏平面（２１ｂ）に直交する上下方向（ＵＴ）において、第２固定平板部（２１）を挿通（貫通）する。ナット収納穴（２４）は、連結表平面（２０ａ）及び接触裏平面（２１ｂ）に開口している。ナット収納穴（２４）は、図４に示すように、第２固定平板部（２１）の連結表平面（２０ａ）及び接触裏平面（２１ｂ）中心に配置される。
【００２７】
第１及び第２パネル連結体（２），（３）は、図１に示すように、第１固定平板部（１１）の接触表平面（１１ａ）及び第２固定平板部（２１）の接触裏平面（２１ｂ）を接触して、各固定平板部（１１），（２１）を重ね配置する。
これにより、第１及び第２パネル連結体（２），（３）は、１枚の平板体（ＨＴ１）を構成し、平板体（ＨＴ１）は連続する連結表平面（１０ａ），（２０ａ）、及び連続する連結裏平面（１０ｂ），（２０ｂ）を有する。また、第１及び第２パネル連結体（２），（３）は、各固定平板部（１１），（２１）を重ね配置すると、上下方向（ＵＴ）において、各ナット収納穴（１４），（２４）を連続する。
【００２８】
第１締結体（４）は、図１に示すように、第１連結ボルト（３０）、第１連結ナット（３１）、複数の平座金（３２），（３３）及びバネ座金（３４）を有している。第１連結ボルト（３０）は、ネジ軸部（３０Ａ）及び六角頭部（３０Ｂ：ボルト頭部）で構成される。第１連結ナット（３１）は、六角ナットで構成され、第１連結ボルト（３０）のネジ軸部（３０Ａ）に螺着される。
【００２９】
第２締結体（５）は、図１に示すように、第１締結体（４）と同一構成である。第２締結体（５）は、第２連結ボルト（３５）、第２連結ナット（３６）、複数の平座金（３７），（３８）及びバネ座金（３９）を有している。第２連結ボルト（３５）は、ネジ軸部（３５Ａ）及び六角頭部（３５Ｂ：ボルト頭部）で構成される。第２連結ナット（３６）は、六角ナットで構成され、第２連結ボルト（３５）のネジ軸部（３５Ａ）に螺着される。
【００３０】
固定締結体（６）は、図１に示すように、固定ボルト（４０）、固定ナット（４１）、取付ナット（４２）、平座金（４３）、及びバネ座金（４５）を有している。固定ボルト（４０）は、ネジ軸部（４０Ａ）及び六角頭部（４０Ｂ：ボルト頭部）で構成される。固定ナット（４１）及び取付ナット（４２）は、例えば六角ナットで構成され、固定ボルト（４０）のネジ軸部（４０Ｂ）に螺着される。取付ナット（４２）のナット高：Ｔ１は、図１に示すように、各固定平板部（１１），（２１）の板厚：Ｔ／２の合計板厚：Ｔに対し、ナット高：Ｔ１＜合計板厚：Ｔの関係にする。
【００３１】
ガイドキャリッジ（７３）は、図１及び図５に示すように、ガイド平板本体（８５）、第１ガイド突起（８６）及び第２ガイド突起（８７）を有する。ガイドキャリッジ（８３）は、例えばアルミニウム合金で形成される。
ガイド平板本体（８５）は、ガイド表平面（８５ａ）及びガイド裏平面（８５ｂ）を有し、ガイド表平面（８５ａ）及びガイド裏平面（８５ｂ）を平行配置する。ガイド平板本体（８５）は、取付穴（８８）及び取付溝（８９）を有する。取付穴（８８）は、ガイド平板本体（８５）の長手方向（ＮＴ）に直交する上下方向（ＵＴ）において、ガイド平板本体（８５）を挿通（貫通）して、ガイド表平面（８５ａ）に開口する。取付溝（８９）は、ガイド平板本体（８５）の長手方向（ＮＴ）に直交する幅方向（ＨＴ）の中央に配置され、長手方向（ＮＴ）でガイド平板本体（８５）を挿通（貫通）する。取付溝（８９）は、ガイド裏平面（８５ｂ）及び取付穴（８８）に開口する。
第１及び第２ガイド突起（８６），（８７）は、図１及び図５に示すように、ガイド平板体（８５）の幅方向（ＨＴ）において、ガイド平板本体（８５）両端の夫々に配置される。第１及び第２ガイド突起（８６），（８７）は、長手方向（ＮＴ）の両端間に延設される。
第１及び第２ガイド突起（８６），（８７）は、平行配置され、ガイド平板本体（８５）に一体形成される。
【００３２】
ガイドキャリッジ（７３）において、第１及び第２ガイド突起（８６），（８７）は、第１及び第２ガイド溝（７７），（８０）に摺動自在に配置され、第１及び第２ガイドレール（７１），（７２）に支持される（図１２及び図１３参照）。
ガイドキャリッジ（７３）は、第１及び第２ガイドレール（７１），（７２）間に配置され、各ガイドレール（７１），（７２）に沿って移動自在にされる（図１２および図１３参照）。
【００３３】
＜第２実施形態＞
第２実施形態のパネル取付装置（Ｙ）について、図１、図６及び図７を参照して説明する。
なお、図６及び図７において、図１乃至図５と同一符号は同一構成及び同一部材であるので、その詳細な説明は省略する。
【００３４】
図１において、第２実施形態のパネル取付装置（Ｙ：以下「第２パネル取付装置（Ｙ）」と称する）は、第１パネル取付装置（Ｘ）と同一構成を備えている。
第２パネル取付装置（Ｙ）は、第１及び第２パネル連結体（２），（３）のうち、一方のパネル連結体、例えば第１パネル連結体（２）を選択し、選択パネル連結体（２）とする。
第２パネル取付装置（Ｙ）は、第１及び第２締結体（４），（５）のうち、一方の締結体、例えば第１締結体（４）を選択して、選択締結体（４）とする。
第２パネル取付装置（Ｙ）は、図６及び図７に示すように、第１ガイドレール（７１）、第２ガイドレール（７２）、第１パネル連結体（２：選択パネル連結体）、第１締結体（４：選択締結体）、固定締結体（６）、ガイドキャリッジ（７３）及び補足平板体（４６）を含んで構成される。
【００３５】
補足平板体（４６）は、図６及び図７に示すように、各パネル連結体（２），（３）の固定平板部（１１），（２１）と同一形状（矩形平板）に形成される。補足平板体（４６）は、例えば、アルミニウム合金で形成される。
補足平板体（４６）は、補足表平面（４６ａ）及び補足裏平面（４６ｂ）を有している。補足平板体（４６）は、上下方向（ＵＴ）において、補足表平面（４６ａ）及び補足裏平面（４６ｂ）間で板厚：Ｔ／２（間隔：Ｔ／２）を有して、補足表平面（４６ａ）及び補足裏平面（４６ｂ）を平行配置している。
補足平板体（４６）は、ナット収納穴（４７）を有している。ナット収納穴（４７）は、上下方向（ＵＴ）において、補足平板体（４６）を挿通（貫通）して、補足表平面（４６ａ）及び補足裏平面（４６ｂ）に開口している。ナット収納穴（４７）は、補足表平面（４６ａ）及び補足裏平面（４６ｂ）の中心に配置される。
【００３６】
選択パネル連結体（２）及び補足平板体（４６）は、図６に示すように、第１固定平板部（１１）の接触表平面（１１ａ）及び補足裏平面（４６ｂ）を接触して、第１固定平板部（１１）及び補足平板体（４６）を重ね配置する。
これにより、選択パネル連結体（２）及び補足平板体（４６）は、１枚の平板体（ＨＴ２）を構成し、平板体（ＨＴ２）は連続する連結表平面（１０ａ），補足表平面（４６ａ）、及び連結裏平面（１０ｂ）を有する。また、選択パネル連結体（２）及び補足平板体（４６）は、重ね配置すると、上下方向（ＵＴ）において、各ナット収納穴（１４），（４７）を連通する。
【００３７】
＜第３実施形態＞
第３実施形態のパネル取付装置（Ｚ）について、図１及び図８を参照して説明する。
なお、図８において、図１乃至図７と同一符号は同一構成及び同一部材であるので、その詳細な説明は省略する。
【００３８】
図１において、第３実施形態のパネル取付装置（Ｚ：以下「第３パネル取付装置（Ｚ）」と称する）は、第１パネル取付装置（Ｘ）と同一構成を備えている。
第３パネル取付装置（Ｚ）は、第１及び第２パネル連結体（２），（３）のうち、一方のパネル連結体、例えば第２パネル連結体（３）を選択して、選択パネル連結体（３）とする。
第３パネル取付装置（Ｚ）は、第１及び第２締結体（４），（５）のうち、一方の締結体、例えば第１締結体（５）を選択して、選択締結体（５）とする。
第３パネル取付装置（Ｚ）は、図８に示すように、第１ガイドレール（７１）、第２ガイドレール（７２）、第２パネル連結体（３：選択パネル連結体）、第２締結体（５：選択締結体）、固定締結体（６）、ガイドキャリッジ（７３）及び補足平板体（４６）を含んで構成される。
【００３９】
選択パネル連結体（３）及び補足平板体（４６）は、図８に示すように、第２固定平板部（２１）の接触裏平面（２１ｂ）及び補足表平面（４６ａ）を接触して、第２固定平板部（２１）及び補足平板体（４６）を重ね配置する。
これにより、選択パネル連結体（３）及び補足平板体（４６）は、１枚の平板体（ＨＴ３）を構成し、平板体（ＨＴ３）は連続する連結裏平面（２０ｂ），補足裏平面（４６ｂ）、及び連結表平面（２０ａ）を有する。また、選択パネル連結体（３）及び補足平板体（４６）は、重ね配置すると、上下方向（ＵＴ）において、各ナット収納穴（２４），（４７）を連通する。
【００４０】
＜パネル取付具・適用例＞
次に、第１乃至第３パネル取付装置（Ｘ），（Ｙ），（Ｚ）の適用例について、図９乃至図４２を参照して説明する。
【００４１】
図９乃至図４２において、第１乃至第３パネル取付装置（Ｘ），（Ｙ），（Ｚ）は、例えば太陽電池アレイ（ＢＳ）に適用される。太陽電池アレイ（ＢＳ）は、複数の太陽電池パネルユニット（ＰＵ），（ＰＵ），…で構成される。
第１乃至第３パネル取付装置（Ｘ），（Ｙ），（Ｚ）は、太陽電池アレイ（ＢＳ）において、各太陽電池パネルユニット（ＰＵ），（ＰＵ），…を固定（連結）する（図９参照）。
【００４２】
＜太陽電池ユニット＞
図１０において、太陽電池パネルユニット（ＰＵ）は、太陽電池パネル（ＳＰ）及びパネル枠（ＰＦ）を含んでなる。
【００４３】
太陽電池パネル（ＳＰ）は、複数の太陽電池セル（図示しない）を並列して、矩形パネル（長方形パネル）に形成される。
【００４４】
パネル枠（ＰＦ）は、太陽電池パネル（ＳＰ）外縁を支持する。パネル枠（ＰＦ）は、矩形枠本体（５１）及び複数（一対）の枠平板部（５２），（５３）を備えている。矩形枠本体（５１）は、太陽電池パネル（ＳＰ）の短辺両端及び長辺両端に夫々配置され、太陽電池パネル（ＳＰ）を支持する。
【００４５】
複数の枠平板部（５２），（５３）は、太陽電池パネル（ＳＰ）の幅方向（ＨＴ）において、短辺両端に間隔：Ｈを隔てて夫々配置され、矩形枠本体（５１）に支持される。各枠平板部（５２），（５３）は、太陽電池パネルユニット（ＰＵ）外縁を構成する各長辺に沿って配置される。
各枠平板部（５２），（５３）は、矩形枠本体（５１）内側に位置して、長手方向（ＮＴ）において、太陽電池パネル（ＳＰ）の長辺両端間に延設される。
各枠平板部（５２），（５３）は、太陽電池パネル（ＳＰ）の長手方向（ＮＴ）及び幅方向（ＨＴ）に直交する上下方向（ＵＴ）において、太陽電池パネル（ＳＰ）裏平面（ＳＰ１）に間隔：Ｆを隔てて平行配置される。
各枠平板部（５２），（５３）は、複数のパネル穴（５４），（５４）を有している。各パネル穴（５４），（５４）は、上下方向（ＵＴ）において、各枠平板部（５２），（５３）を挿通（貫通）している。各枠平板部（５２），（５３）において、各パネル穴（５４），（５４）は、長手方向（ＮＴ）に直交する配置線（ａ１），（ｂ１）上に配置される。各配置線（ａ１），（ｂ１）は、長手方向（ＮＴ）に間隔：Ｐを隔てて配置される。
【００４６】
＜太陽電池アレイ＞
図９において、太陽電池パネルユニット（ＰＵ）は、例えば、１列×３行に複数並列され、太陽電池アレイ（ＢＳ）を形成する。太陽電池アレイ（ＢＳ）は、下段・太陽電池パネルユニット（ＵＰ１）、中段・太陽電池パネルユニット（ＵＰ２）及び上段・太陽電池パネルユニット（ＵＰ３）で構成される（図９参照）。
【００４７】
＜第１乃至第３パネル取付具・配置＞
太陽電池アレイ（ＢＳ）において、第１パネル取付装置（Ｘ）は、図９に示すように、下段及び中段・太陽電池パネルユニット（ＰＵ１），（ＰＵ２）間に複数配置され、各固定位置（Ａ１），（Ａ２）で各太陽電池パネルユニット（ＰＵ１），（ＰＵ２）を固定（連結）する（以下「第１パネル取付装置（Ｘ１），（Ｘ２）」と称する）。
第１パネル取付装置（Ｘ１），（Ｘ２）は、共通のガイドレール体「１：第１及び第２ガイドレール（７１），（７２）]を兼用する。
【００４８】
太陽電池アレイ（ＢＳ）において、第１パネル取付装置（Ｘ）は、図９に示すように、中段及び上段・太陽電池パネルユニット（ＰＵ２），（ＰＵ３）間に複数配置され、各固定位置（Ａ３），（Ａ４）で各太陽電池パネルユニット（ＰＵ２），（ＰＵ３）を固定（連結）する（以下「パネル取付装置（Ｘ３），（Ｘ４）」と称する）。
第１パネル取付装置（Ｘ３），（Ｘ４）は、共通のガイドレール体「１：第１及び第２ガイドレール（７１），（７２）]を兼用する。
【００４９】
太陽電池アレイ（ＢＳ）において、第２パネル取付装置（Ｙ）は、図９に示すように、上段・太陽電池パネルユニット（ＰＵ３）に複数配置され、各固定位置（Ａ５），（Ａ６）で太陽電池パネルユニット（ＰＵ３）を固定する（以下「第２パネル取付装置（Ｙ１），（Ｙ２）」と称する）。
第２パネル取付装置（Ｙ１），（Ｙ２）は、共通のガイドレール体「１：第１及び第２ガイドレール（７１），（７２）]を兼用する。
【００５０】
太陽電池アレイ（ＢＳ）において、第３パネル取付装置（Ｚ）は、図９に示すように、下段・太陽電池パネルユニット（ＰＵ３）に複数配置され、各固定位置（Ａ６），（Ａ７）で太陽電池パネルユニット（ＰＵ３）を固定する（以下「第３パネル取付装置（Ｚ１），（Ｚ２）」と称する）。
第３パネル取付装置（Ｚ１），（Ｚ２）は、共通のガイドレール体「１：第１及び第２ガイドレール（７１），（７２）]を兼用する。
【００５１】
＜太陽電池パネルユニット・固定工程（固定方法）＞
以下、太陽電池パネルユニット（ＰＵ１）〜（ＰＵ３）の固定工程（固定方法／施工方法）について、具体的に説明する（図９乃至図４２参照）。
【００５２】
＜第１工程：固定ボルト（４０）・固定＞
図１１において、第１乃至第３パネル取付装置（Ｘ１），（Ｘ２），…は、固定締結体（６）の固定ボルト（４０）及び取付ナット（４２）をガイドキャリッジ（７３）に設置する。
第１乃至３パネル取付装置（Ｘ１），（Ｘ２），…おいて、固定ボルト（４０）は、各ガイドキャリッジ（７３），（７３），…に固定する（図１１参照）。
【００５３】
第１乃至第３パネル取付装置（Ｘ１），（Ｘ２），…において、固定ボルト（４０）は、図１１に示すように、ネジ軸部（４０Ａ）を取付溝（８９）及び取付穴（８８）に挿通する。ネジ軸部（４０Ａ）は、ガイド表平面（８５ａ）に直交する上下方向（ＵＴ）において、ガイド表平面（８５ａ）から突出する。
固定ボルト（４０）は、六角頭部（４０Ｂ：ボルト頭部）を取付溝（８９）内に配置する。六角頭部（４０Ｂ）は、図１１に示すように、対向二辺（４０ａ），（４０ｂ）を取付溝（８９）の両溝側面（８９ａ），（８９ｂ）に当接する。六角頭部（４０Ｂ）は、取付溝（８９）からガイド平板本体（８５）に当接される。
【００５４】
第１乃至第３パネル取付装置（Ｘ１），（Ｘ３），…において、取付ナット（４２）は、図１１に示すように、固定ボルト（４０）に螺着される。取付ナット（４２）は、ガイド表平面（８５ａ）から突出するネジ軸部（４０Ａ）に螺着され、ガイド平板本体（８５）に向けて回動される。
取付ナット（４２）は、ガイド表平面（８５ａ）に当接する。
【００５５】
これにより、第１乃至第３パネル取付装置（Ｘ１），（Ｘ２），…において、各固定締結体（６）は、固定ボルト（４０）の六角頭部（４０Ｂ：ボルト頭部）及び取付ナット（４２）でガイド平板本体（８５）を締結（締付け挟持）して、固定ボルト（４０）をガイドキャリッジ（７３）に固定する。
【００５６】
＜第２工程：第１及び第２ガイドレール（７１），（７２）・配置＞
第１パネル取付装置（Ｘ１）〜（Ｘ４）において、ガイドレール体（１）は、図１２に示すように、間隔：Ｇを隔てて平行配置する。
【００５７】
第２パネル取付装置（Ｙ１），（Ｙ２）において、ガイドレール体（１）は、図１２に示すように、第１パネル取付装置（Ｘ３），（Ｘ４）のガイドレール体（１）に間隔：Ｇを隔てて平行配置する。
【００５８】
第３パネル取付装置（Ｚ１），（Ｚ２）において、ガイドレール体（１）は、図１２に示すように、第１パネル取付装置（Ｘ１），（Ｘ２）のガイドレール体（１）に間隔：Ｇを隔てて平行配置する。
なお、間隔：Ｇは、図９に示すように、幅方向（ＨＴ）において、太陽電池パネルユニット（ＰＵ）の幅寸法程度である。
【００５９】
＜第３工程：ガイドキャリッジ（７３）・配置＞
第１乃至第３パネル取付装置（Ｘ１），（Ｘ２），…において、ガイドキャリッジ（７３）は、図１２及び図１３に示すように、第１及び第２ガイドレール（７１），（７２）に配置する。
ガイドキャリッジ（７３）は、図１３に示すように、第１及び第２ガイド突起（８６），（８７）を第１及び第２ガイド溝（７７），（８０）内に摺動自在に配置する。ガイドキャリッジ（７３）は、ガイド平板本体（８５）及び六角頭部（４０Ｂ）をガイドレール体（１）の収納空所（８２）に配置する。
これにより、ガイドキャリッジ（７３）は、第１及び第２ガイドレール（７１），（７２）間に位置され、各ガイドレール（７１），（７２）の長手方向（ＮＴ）に沿って移動自在にされる。
また、ガイドキャリッジ（７３）において、固定ボルト（４０）は、図１３に示すように、第１及び第２ガイドレール（７１），（７２）間に配置される。固定ボルト（４０）は、上下方向（ＵＴ）において、第１及び第２ガイドレール（７１），（７２）間から突出する。
ガイドキャリッジ（７３）において、取付ナット（４２）は、図１３に示すように、第１及び第２ガイドレール（７１），（７２）間に配置される。取付ナット（４２）は、上下方向（ＵＴ）において、第１及び第２ガイドレール（７１），（７２）間から突出する。
【００６０】
第１乃至第３パネル取付装置（Ｘ１），（Ｘ２），…において、ガイドキャリッジ（７３）は、図１２に示すように、ガイドレール体（１）の長手方向（ＮＴ）に沿って移動して、各固定位置（Ａ１）〜（Ａ８）に配置する。
各ガイドレール体（１），（１），…において、固定位置（Ａ１），（Ａ３），（Ａ５），（Ａ７）のガイドキャリッジ（７３：固定ボルト）は、図１２に示すように、長手方向（ＮＴ）に直交する配置線（ａ）上に配置する。各固定位置（Ａ２），（Ａ４），（Ａ６），（Ａ８）のガイドキャリッジ（７３：固定ボルト）は、長手方向（ＮＴ）に直交する配置線（ｂ）上に配置する。
なお、各配置線（ａ），（ｂ）は、長手方向（ＮＴ）に間隔：Ｐを隔てて配置される。各配置線（ａ），（ｂ）間の間隔；Ｐは、各枠平板部（５２），（５３）のパネル穴（５４），（５４）間と同一間隔：Ｐである（図１１参照）。
【００６１】
＜第４工程：第１パネル取付装置（Ｘ１，Ｘ２）［各パネル連結体・固定］＞
図１４及び図１５において、第１パネル取付装置（Ｘ１），（Ｘ２）は、第１パネル連結体（２）を下段・太陽電池パネルユニット（ＰＵ１：一のパネルユニット）に固定する。
各第１パネル連結体（２），（２）は、第１締結体（４），（４）で下段・太陽電池パネルユニット（ＵＰ１）に固定される。
【００６２】
下段・太陽電池パネルユニット（ＰＵ１）において、各第１パネル連結体（２），（２）は、枠平板部（５２）に位置して、各パネル穴（５４），（５４）に配置される。
【００６３】
図１５において、第１パネル連結体（２）は、第１連結平板部（１０）を枠平板部（５２）裏側に配置する。
第１連結平板部（１０）は、連結表平面（１０ａ）を枠平板部（５２）の裏平面（５２ｂ）に当接して平行配置する。
第１連結平板部（１０）及び第１固定平板部（１１）は、枠平板部（５２：一方の枠平板部）に直交する幅方向（ＨＴ）に延設され、第１固定平板部（１１）は下段・太陽電池パネルユニット（ＰＵ１）外側に配置する。
【００６４】
第１締結体（４）において、第１連結ボルト（３０）は、図１５に示すように、太陽電池パネル（ＳＰ）及び枠平板部（５２）間に配置される。
第１連結ボルト（３０）は、枠平板部（５２）及び第１連結平板部（１０）を挿通する。第１連結ボルト（３０）は、ネジ軸部（３０Ａ）を平座金（３２）、パネル穴（５４）及び連結穴（１２）に挿通する。ネジ軸部（３０Ａ）は、連結表平面（１０ａ）に直交する上下方向（ＵＴ）において、第１連結平板部（１０）の連結裏平面（１０ｂ）から突出する。ネジ軸部（３０Ａ）は、連結裏平面（１０ｂ）側において、平座金（３３）及びバネ座金（３４）を挿通する。
第１連結ボルト（３０）は、六角頭部（３０Ｂ：ボルト頭部）を平座金（３２：連結表平面）に当接する。
【００６５】
第１締結体（４）において、第１連結ナット（３１）は、図１５に示すように、第１連結ボルト（３０）に螺着される。第１連結ボルト（３１）は、連結裏平面（１０ｂ）から突出するネジ軸部（３０Ａ）に螺着され、第１連結平板部（１０）に向けて回動される。第１連結ナット（３１）は、バネ座金（３４：連結裏平面）に当接する。
【００６６】
これにより、第１締結体（４）は、第１連結ボルト（３０）の六角頭部（３０Ｂ：ボルト頭部）及び第１連結ナット（３１）で枠平板部（５２）及び第１連結平板部（１０）を締結（締付け挟持）して、各第１パネル連結体（２），（２）を下段・太陽電池パネルユニット（ＰＵ１）に固定する。
【００６７】
また、各第１パネル連結体（２），（２）は、太陽電池パネルユニット（ＰＵ１）の長手方向（ＮＴ）において、間隔：Ｐ[各固定位置（Ａ１），（Ａ２）のガイドキャリッジ（７３）間と同一間隔：Ｐ]を隔てて下段・太陽電池パネルユニット（ＰＵ１）に固定される（図１４参照）。
【００６８】
図１３及び図１６において、第１パネル取付装置（Ｘ１），（Ｘ２）は、第２パネル連結体（３）を中段・太陽電池パネルユニット（ＰＵ２：他の一のパネルユニット）に固定する。
各第２パネル連結体（３），（３）は、第２締結体（５），（５）で中段・太陽電池パネルユニット（ＰＵ２）に固定される。
【００６９】
中段・太陽電池パネルユニット（ＰＵ２）において、各第２パネル連結体（３），（３）は、枠平板部（５３）に位置して、各パネル穴（５４），（５４）に配置される。
【００７０】
図１６において、第２パネル連結体（３）は、第２連結平板部（２０）を枠平板部（５３）裏側に配置する。
第２連結平板部（２０）は、連結表平面（２０ａ）を枠平板部（５３）の裏平面（５３ｂ）に当接して平行配置する。
第２連結平板部（２０）及び第２固定平板部（２１）は、枠平板部（５３）に直交する幅方向（ＨＴ）に延設され、第２固定平板部（２１）は中段・太陽電池パネルユニット（ＰＵ２）外側に配置する。
【００７１】
第２締結体（５）において、第２連結ボルト（３５）は、図１６に示すように、太陽電池パネル（ＳＰ）及び枠平板部（５３）間に配置される。
第２連結ボルト（３５）は、枠平板部（５３）及び第２連結平板部（２０）を挿通する。第２連結ボルト（３５）は、ネジ軸部（３５Ａ）を平座金（３７）、パネル穴（５４）及び連結穴（２２）に挿通する。ネジ軸部（３５Ａ）は、連結表平面（２０ａ）に直交する上下方向（ＵＴ）において、第２連結平板部（２０）の連結裏平面（２０ｂ）から突出する。ネジ軸部（３５Ａ）は、連結裏平面（２０ｂ）側において、平座金（３８）及びバネ座金（３９）を挿通する。
第２連結ボルト（３５）は、六角頭部（３５Ｂ：ボルト頭部）を平座金（３７：連結表平面）に当接する。
【００７２】
第２連結体（５）において、第２連結ナット（３６）は、図１６に示すように、第２連結ボルト（３５）に螺着される。第２連結ナット（３６）は、連結裏平面（２０ｂ）から突出するネジ軸部（３５Ａ）に螺着され、連結裏平面（２０ｂ）に向けて回動される。第２連結ボルト（３６）は、バネ座金（３９：連結裏平面）に当接する。
【００７３】
これにより、第２締結体（５）は、第２連結ボルト（３５）の六角頭部（３５Ｂ：ボルト頭部）及び第２連結ナット（３６）で枠平板部（５３）及び第２連結平板部（２０）を締結（締付け挟持）して、各第２パネル連結体（３），（３）を中段・太陽電池パネルユニット（ＰＵ２）に固定する。
【００７４】
また、各第２パネル連結体（３），（３）は、太陽電池パネルユニット（ＰＵ２）の長手方向（ＮＴ）において、間隔：Ｐ[各固定位置（Ａ１），（Ａ２）のガイドキャリッジ（７３）間と同一間隔：Ｐ]を隔てて中段・太陽電池パネルユニット（ＰＵ２）に固定される（図１４参照）。
【００７５】
＜第５工程：第１パネル取付装置（Ｘ３，Ｘ４）［各パネル連結体・固定］＞
図１７及び図１８において、第１パネル取付装置（Ｘ３），（Ｘ４）は、第１パネル連結体（２）を上段・太陽電池パネルユニット（ＰＵ３：一のパネルユニット）に固定する。
各第１パネル連結体（２），（２）は、第１締結体（４），（４）で上段・太陽電池パネルユニット（ＰＵ３）に固定される。
【００７６】
上段・太陽電池パネルユニット（ＰＵ３）において、各第１パネル連結体（２），（２）は、枠平板部（５３）に位置して、各パネル穴（５４），（５４）に配置される。
【００７７】
図１８において、第１パネル連結体（２）は、第１連結平板部（１０）を枠平板部（５３）裏側に配置される。
第１連結平板部（１０）は、連結表平面（１０ａ）を枠平板部（５３：他方の枠平板部）の裏平面（５３ｂ）に当接して平行配置する。
第１連結平板部（１０）及び第１固定平板部（１１）は、枠平板部（５３）に直交する幅方向（ＨＴ）に延設され、第１固定平板部（１１）は上段・太陽電池パネルユニット（ＰＵ３）外側に配置する。
【００７８】
第１連結体（４）において、第１連結ボルト（３０）は、図１８に示すように、太陽電池パネル（ＳＰ）及び枠平板部（５３）間に配置される。
第１連結ボルト（３０）は、枠平板部（５３）及び第１連結平板部（１０）を挿通する。第１連結ボルト（３０）は、ネジ軸部（３０Ａ）を平座金（３２）、パネル穴（５４）及び連結穴（１２）を挿通する。ネジ軸部（３０Ａ）は、連結表平面（１０ａ）に直交する上下方向（ＵＴ）において、第１連結平板部（１０）の連結裏平面（１０ｂ）から突出する。ネジ軸部（３０Ａ）は、連結裏平面（１０ｂ）側において、平座金（３３）及びバネ座金（３４）を挿通する。
第１連結ボルト（３０）は、六角頭部（３０Ｂ：ボルト頭部）を平座金（３２：連結表平面）に当接する。
【００７９】
第１締結体（４）において、第１連結ナット（３１）は、図１８に示すように、第１連結ボルト（３０）に螺着される。第１連結ナット（３１）は、連結裏平面（１０ｂ）から突出するネジ軸部（３０Ａ）に螺着され、第１連結平板部（１０）に向けて回動される。第１連結ナット（３１）は、バネ座金(３４:連結裏平面)に当接する。
【００８０】
これにより、第１締結体（４）は、第１連結ボルト（３０）の六角頭部（３０Ｂ：ボルト頭部）及び第１連結ボルト（３１）で枠平板部（５３）及び第１連結平板部（１０）を締結（締付け挟持）して、各第１パネル連結体（２），（２）を上段・太陽電池パネルユニット（ＰＵ３）に固定する。
【００８１】
また、各第１パネル連結体（２），（２）は、太陽電池パネルユニット（ＰＵ３）の長手方向（ＮＴ）において、間隔：Ｐ[各固定位置（Ａ３），（Ａ４）のガイドキャリッジ（７３）間と同一間隔：Ｐ]を隔てて上段・太陽電池パネルユニット（ＰＵ３）に固定される（図１７参照）。
【００８２】
図１７及び図１９において、第１パネル取付装置（Ｘ３），（Ｘ４）は、第２パネル連結体（３）を中段・太陽電池パネルユニット（ＰＵ２：他の一のパネルユニット）に固定する。
各第２パネル連結体（３），（３）は、第２連結体（５），（５）で中段・太陽電池パネルユニット（ＰＵ２）に固定される。
【００８３】
中段・太陽電池パネルユニット（ＰＵ２）において、各第２パネル連結体（３），（３）は、枠平板部（５２）に位置して、各パネル穴（５４），（５４）に配置される。
【００８４】
図１９において、第２パネル連結体（３）は、第２連結平板部（２０）を枠平板部（５２）裏側に配置する。
第２連結平板部（２０）は、連結表平面（２０ａ）を枠平板部（５２：一方の枠平板部）の裏平面（５２ｂ）に当接して平行配置する。
第２連結平板部（２０）及び第２固定平板部（２１）は、枠平板部（５２）に直交する幅方向（ＨＴ）に延設され、第２固定平板部（２１）は中段・太陽電池パネルユニット（ＰＵ２）外側に配置する。
【００８５】
第２締結体（５）において、第２連結ボルト（３５）は、図１９に示すように、太陽電池パネル（ＳＰ）及び枠平板部（５２）間に配置される。
第２連結ボルト（３５）は、枠平板部（５２）及び第２連結平板部（２０）を挿通する。第２連結ボルト（３５）は、ネジ軸部（３５Ａ）を平座金（３７）、パネル穴（５４）及び連結穴（２２）に挿通する。ネジ軸部（３５Ａ）は、連結表平面（２０ａ）に直交する上下方向（ＵＴ）において、第２連結平板部（２０）の連結裏平面（２０ｂ）から突出する。ネジ軸部（３５Ａ）は、連結裏平面（２０ｂ）側において、平座金（３８）及びバネ座金（３９）を挿通する。
第２連結ボルト（３５）は、六角頭部（３５Ｂ：ボルト頭部）を平座金（３７：連結表平面）に当接する。
【００８６】
第２締結体（５）において、第２連結ナット（３６）は、図１９に示すように、第２連結ボルト（３５）に螺着される。第２連結ナット（３６）は、連結裏平面（２０ｂ）から突出するネジ軸部（３５Ａ）に螺着され、連結裏平面（２０ｂ）に向けて回動される。第２連結ナット（３６）は、バネ座金（３９：連結裏平面）に当接する。
【００８７】
これにより、第２締結体（５）は、第２連結ボルト（３５）の六角頭部（３５Ｂ：ボルト頭部）及び第２連結ナット（３６）で枠平板部（５２）及び第２連結平板部（２０）を締結（締付け挟持）して、各第２パネル連結体（３），（３）を中段・太陽電池パネルユニット（ＰＵ２）に固定する。
【００８８】
また、各第２パネル連結体（３），（３）は、太陽電池パネルユニット（ＰＵ２）の長手方向（ＮＴ）において、間隔：Ｐ[各固定位置（Ａ３）（Ａ４）のガイドキャリッジ（７３）間と同一間隔：Ｐ]を隔てて中段・太陽電池パネルユニット（ＰＵ２）に固定される（図１７参照）。
【００８９】
＜第６工程：第２パネル取付具（Ｙ１，Ｙ２）［選択パネル連結体・固定］＞
図２０及び図２１において、パネル取付具（Ｙ１），（Ｙ２）は、選択パネル連結体（２）を上段・太陽電池パネルユニット（ＰＵ３）に固定する。
各選択パネル連結体（２），（２）は、選択締結体（４），（４）で上段・太陽電池パネルユニット（ＰＵ３）に固定される。なお、上段・太陽電池パネルユニット（ＰＵ３）は、太陽電池アレイ（ＢＳ）外縁（上長辺）を構成する（図９参照）。
【００９０】
上段・太陽電池パネルユニット（ＰＵ３）において、各選択パネル連結体（２），（２）は、枠平板部（５２）に位置して、各パネル穴（５４），（５４）に配置される。
【００９１】
図２１において、選択パネル連結体（２）は、第１連結平板部（１０）を枠平板部（５２）裏側に配置する。
第１連結平板部（１０）は、連結表平面（１０ａ）を枠平板部（５２：一方の枠平板部）の裏平面（５２ｂ）に当接して平行配置する。
第１連結平板部（１０）及び第１固定平板部（１１）は、枠平板部（５２）に直交する幅方向（ＨＴ）に延設され、第１固定平板部（１１）は上段・太陽電池パネルユニット（ＰＵ３）外側に配置する。
【００９２】
第１締結体（４）において、第１連結ボルト（３０）は、図２１に示すように、太陽電池パネル（ＳＰ）及び枠平板部（５２）間に配置される。
第１連結ボルト（３０）は、枠平板部（５２）及び第１連結平板部（１０）を挿通する。第１連結ボルト（３０）は、ネジ軸部（３０Ａ）を平座金（３２）、パネル穴（５４）及び連結穴（１２）に挿通する。ネジ軸部（３０Ａ）は、連結表平面（１０ａ）に直交する上下方向（ＵＴ）において、第１連結平板部（１０）の連結表平面（１０ａ）から突出する。ネジ軸部（３０Ａ）は、連結裏平面（１０ｂ）側において、平座金（３３）及びバネ座金（３４）を挿通する。
第１連結ボルト（３０）は、六角頭部（３０Ｂ：ボルト頭部）を平座金（３２：連結表平面）に当接する。
【００９３】
選択締結体（４）において、第１連結ナット（３１）は、図２１に示すように、第１連結ボルト（３０）に螺着される。第１連結ナット（３１）は、連結裏平面（１０ｂ）から突出するネジ軸部（３０Ａ）に螺着され、第１連結平板部（１０）に向けて回動される。第１連結ナット（３１）は、バネ座金(３４:連結裏平面)に当接する。
【００９４】
これにより、選択締結体（４：第１締結体）は、第１連結ボルト（３０）の六角頭部（３０Ｂ：ボルト頭部）及び第１連結ナット（３１）で枠平板部（５２）及び第１連結平板部（１０）を締結（締付け挟持）して、各選択パネル連結体（２），（２）を上段・太陽電池パネルユニット（ＰＵ３）に固定する。
【００９５】
また、各選択パネルユニット（２），（２）は、太陽電池パネルユニット（ＰＵ３）の長手方向（ＮＴ）において、間隔：Ｐ［各固定位置（Ａ５），（Ａ６）のガイドキャリッジ（７３）間と同一間隔：Ｐ］を隔てて上段・太陽電池パネルユニット（ＵＰ３）に固定される（図２０参照）。
【００９６】
＜第７工程：第３パネル取付具（Ｚ１，Ｚ２）［選択パネル連結体・固定］＞
図２２及び図２３において、第３パネル取付装置（Ｚ１，Ｚ２）は、選択パネル連結体（３）を下段・太陽電池パネルユニット（ＰＵ１）に固定する。
各選択パネル連結体（３），（３）は、選択締結体（５），（５）で下段・太陽電池パネルユニット（ＰＵ１）に固定される。なお、下段・太陽電池パネルユニット（ＰＵ１）は、太陽電池アレイ（ＢＳ）外縁（下長辺）を構成する（図９参照）。
【００９７】
下段・太陽電池パネルユニット（ＰＵ１）において、各選択パネル連結体（３），（３）は、枠平板部（５３）に位置して、各パネル穴（５４），（５４）に配置される。
【００９８】
図２３において、各選択パネル連結体（３），（３）は、第２連結平板部（２０）を枠平板部（５３）裏側に配置する。
第２連結平板部（２０）は、連結表平面（２０ａ）を枠平板部（５３：他方の枠平板部）の裏平面（５３ｂ）に当接して平行配置する。
第２連結平板部（２０）及び第２固定平板部（２１）は、枠平板部（５３）に直交する幅方向（ＨＴ）に延設され、第２固定平板部（２１）は下段・太陽電池パネルユニット（ＰＵ２）外側に配置する。
【００９９】
選択締結体（５：第２締結体）において、第２連結ボルト（３５）は、図２３に示すように、太陽電池パネル（ＳＰ）及び枠平板部（５３）間に配置される。
第２連結ボルト（３５）は、枠平板部（５３）及び第２連結平板部（２０）を挿通する。第２連結ボルト（３５）は、ネジ軸部（３５Ａ）を平座金（３７）、パネル穴（５４）及び連結穴（２２）に挿通する。ネジ軸部（３５Ａ）は、連結表平面（２０ａ）に直交する上下方向（ＵＴ）において、第２連結平板部（２０）の連結裏平面（２０ｂ）から突出する。ネジ軸部（３５Ａ）は、連結裏平面（２０ｂ）側において、平座金（３８）及びバネ座金（３９）を挿通する。
【０１００】
選択締結体（５）において、第２連結ナット（３６）は、図２３に示すように、第２連結ボルト（３６）に螺着される。第２連結ナット（３６）は、連結裏平面（２０ｂ）から突出するネジ軸部（３５Ａ）に螺着され、連結裏平面（２０ｂ）に向けて回動される。第２連結ナット（３５）は、バネ座金金（３９：連結裏平面）に当接する。
【０１０１】
これにより、選択締結体（５：第２締結体）は、第２連結ボルト（３５）の六角頭部（３５Ｂ：ボルト頭部）及び第２連結ナット（３６）で枠平板部（５３）及び第２連結平板部（２０）を締結（締付け挟持）して、各選択パネル連結体（３），（３）を下段・太陽電池パネルユニット（ＰＵ１）に固定する。
【０１０２】
また、各選択パネル連結体（３），（３）は、太陽電池パネルユニット（ＰＵ１）の長手方向（ＮＴ）において、間隔：Ｐ［各固定位置（Ａ７），（Ａ８）のガイドキャリッジ（７３）間と同一間隔：Ｐ］を隔てて下段・太陽電池パネルユニット（ＰＵ１）に固定される（図２２参照）。
【０１０３】
第４及び第７工程において、下段・太陽電池パネルユニット（ＰＵ１）は、図２２に示すように、第１パネル取付装置（Ｘ１），（Ｘ２）の第１パネル連結体（２）、及び第３パネル取付装置（Ｚ１），（Ｚ２）の選択パネル連結体（３）を備える。
各第１パネル連結体（２），（２）は、下段・太陽電池パネルユニット（ＰＵ１）の枠平板部（５２）に固定され、各選択パネル連結体（３），（３）は、下段・太陽パネルユニット（ＰＵ１）の枠平板部（５３）に固定される。
【０１０４】
第４及び第５工程において、中段・太陽電池パネルユニット（ＰＵ２）は、図２２に示すように、第１パネル取付装置（Ｘ１），（Ｘ２）の第２パネル連結体（３）、及び第１パネル取付装置（Ｘ３），（Ｘ４）の第２パネル連結体（３）を備える。
各第２パネル連結体（３），（３），…は、中段・太陽電池パネルユニット（ＰＵ２）の各枠平板部（５２），（５３）に固定される。
【０１０５】
第４及び第６工程において、上段・太陽電池パネルユニット（ＰＵ３）は、図２２に示すように、第１パネル取付装置（Ｘ３），（Ｘ４）の第１パネル連結体（２）、及び第２パネル取付装置（Ｙ１），（Ｙ２）の選択パネル連結体（２）を備える。
各第１パネル連結体（２），（２）は、上段・太陽電池パネルユニット（ＰＵ３）の枠平板部（５３）に固定され、各選択パネル連結体（２），（２）は上段・太陽電池パネルユニット（ＰＵ３）の枠平板部（５２）に固定される。
【０１０６】
＜第８工程：下段・太陽電池パネルユニット（ＰＵ１）・配置＞
図２４乃至図２７において、下段・太陽電池パネルユニット（ＰＵ１）は、第１パネル取付装置（Ｘ１），（Ｘ２）のガイドレール体（１）、及び第３パネル取付装置（Ｚ１），（Ｚ２）のガイドレール体（１）に配置する。
【０１０７】
図２５において、第３パネル取付装置（Ｚ１），（Ｚ２）は、各補足平板体（４６），（４６）を各固定位置（Ａ７），（Ａ８）に配置する。各固定位置（Ａ７），（Ａ８）において、各補足平板体（４６），（４６）は、補足裏平面（４６ｂ）を第１及び第２取付表平板部（７５），（７８）の取付表平面（７５ａ），（７８ａ）に当接して平行配置する。補足平板体（４６）は、上下方向（ＵＴ）において、ガイド平板本体（８５）上に隙間を隔てて配置される。固定ボルト（４０）のネジ軸部（４０Ｂ）及び取付ナット（４２）は、図２５に示すように、補足平板板（４６）のナット収納穴（４７）を挿通して、補足表平面（４６ａ）から突出される。
【０１０８】
下段・太陽電池パネルユニット（ＰＵ１）において、第１パネル取付装置（Ｘ１），（Ｘ２）の第１パネル連結体（２）は、図２４及び図２６に示すように、各固定位置（Ａ１），（Ａ２）に配置される。
各第１パネル連結体（２），（２）において、第１連結平板部（１０）及び第１固定平板部（１１）は、連結裏平面（１０ｂ）を第２取付表平板部（７８）の第２取付表平面（７８ａ）に当接して、第２ガイドレール（７２：一方のガイドレール）に平行配置する。
第１固定平板部（１１）は、第１及び第２ガイドレール（７１），（７２）間に配置される。また、第１固定平板部（１１）は、上下方向（ＵＴ）において、ガイド平板本体（８５）上に隙間を隔てて配置される。
【０１０９】
各固定位置（Ａ１），（Ａ２）において、固定ボルト（４０）のネジ軸部（４０Ａ）、及び各取付ナット（４２）は、第１固定平板部（１１）のナット収納穴（１４）を挿通して、接触表平面（１１ａ）から突出される。
【０１１０】
下段・太陽電池パネルユニット（ＰＵ１）において、第３パネル取付装置（Ｚ１），（Ｚ２）の各選択パネル連結体（３）は、図２４及び図２７に示すように、各固定位置（Ａ７），（Ａ８）に配置される。
各選択パネル連結体（３），（３）において、第２連結平板部（２０）は、図２７に示すように、連結裏平面（２０ａ）を第１取付表平板部（７５）の第１取付表平面（７５ａ），に当接して、第１ガイドレール（７１）に平行配置される。第２固定平板部（２１）は、接触裏平面（２１ｂ）を補足表平面（４６ａ）に当接して、補足平板体（４６）上に配置される。補足平板体（４６）及び第２固定平板部（２１）は、接触表平面（４６ａ）に直交する上下方向（ＵＴ）において、重ねて平行配置される。
【０１１１】
各固定位置（Ａ７），（Ａ８）において、取付ナット（４２）は、図２７に示すように、重ね配置した補足平板体（４６）及び第２固定平板部（２１）の各ナット収納穴（４７），（２４）内に収納される。このとき、取付ナット（４２）は、上下方向（ＵＴ）において、各ナット収納穴（４７），（２４）から突出しない。
【０１１２】
各固定位置（Ａ８），（Ａ７）において、固定ボルト（４０）のネジ軸部（４０Ａ）は、図２７に示すように、補足平板体（４６）及び第２固定平板部（２１）の各ナット収納穴（４７），（２４）を挿通して、第２固定平板部（２１）から突出される
【０１１３】
これにより、下段・太陽電池パネルユニット（ＰＵ１）は、各ガイドレール体（１），（１）上に配置される。
下段・太陽電池パネルユニット（ＰＵ１）は、図２４乃至図２７に示すように、各固定位置（Ａ１），（Ａ２），（Ａ７），（Ａ８）において、各第１パネル連結体（２），（２）、各選択パネル連結体（３），（３）、各固定ボルト（４０），（４０），…及び各取付ナット（４２），（４２），…で各ガイドレール体（１），（１）上に支持される。
【０１１４】
＜第９工程：上段・太陽電池パネルユニット（ＰＵ３）・配置＞
図２８乃至図３１において、上段・太陽電池パネルユニット（ＰＵ３）は、第２パネル取付装置（Ｙ１），（Ｙ２）のガイドレール体（１）、及び第１パネル取付装置（Ｘ３），（Ｘ４）のガイドレール体（１）に配置する。
【０１１５】
上段・太陽電池パネルユニット（ＰＵ３）において、第２パネル取付装置（Ｙ１），（Ｙ２）の選択パネル連結体（２）は、図２８及び図２９に示すように、各固定位置（Ａ５），（Ａ６）に配置される。
各選択パネル連結体（２），（２）において、第１連結平板部（１０）及び第１固定平板部（１１）は、連結裏平面（１０ｂ）を第２取付表平板部（７８）の取付表平面（７８ａ）に当接して、第２ガイドレール（７２）に平行配置する。
第１固定平板部（１１）は、第１及び第２ガイドレール（７１），（７２）間に配置される。また、第１固定平板部（１１）は、上下方向（ＵＴ）において、ガイド平板本体（８５）に隙間を隔てて配置される。
【０１１６】
各固定位置（Ａ５），（Ａ６）において、固定ボルト（４０）のネジ軸部（４０Ａ）及び取付ナット（４２）は、第１固定平板部（１１）のナット収納穴（１４）を挿通して、接触表平面（１１ａ）から突出される。
【０１１７】
上段・太陽電池パネルユニット（ＰＵ３）において、第１パネル取付装置（Ｘ３），（Ｘ４）の各第２パネル連結体（２），（２）は、図２８及び図３０に示すように、各固定位置（Ａ３），（Ａ４）に配置される。
【０１１８】
各第１パネル連結体（２），（２）において、第１連結平板部（１０）及び第１固定平板部（１１）は、連結裏平面（１０ｂ）を第１取付表平板部（７５）の取付表平面（７５ａ）に当接して、第１ガイドレール（７２：一方のガイドレール）に平行配置する。
第１固定平板部（１１）は、第１及び第２ガイドレール（７１），（７２）間に配置される。また、第１固定平板部（１１）は、上下方向（ＵＴ）において、ガイド平板本体（８５）に隙間を隔てて配置される。
【０１１９】
各固定位置（Ａ３），（Ａ４）において、固定ボルト（４０）のネジ軸部（４０Ａ）及び取付ナット（４２）は、第１固定平部（１１）のナット収納穴（１４）を挿通して、各接触表平面（１１ａ）から突出される。
【０１２０】
これにより、上段・太陽電池パネルユニット（ＰＵ３）は、各ガイドレール体（１），（１）上に配置される。
上段・太陽電池パネルユニット（ＰＵ３）は、図２８乃至図３０に示すように、各固定位置（Ａ３）〜（Ａ６）において、各第１パネル連結体（２），（２）、各選択パネル連結体（２），（２）、各固定ボルト（４０），（４０），…及び各取付ナット（４２），（４２），…で各ガイドレール体（１），（１）上に支持される。
【０１２１】
＜第１０工程：中段・太陽電池パネルユニット（ＰＵ２）・配置＞
図３１乃至図３５において、中段・太陽電池パネルユニット（ＰＵ２）は、第1パネル取付装置（Ｘ１）〜（Ｘ４）の各ガイドレール体（１），（１）上に配置する。
【０１２２】
中段・太陽電池パネルユニット（ＰＵ２）において、第１パネル取付装置（Ｘ１），（Ｘ２）の第２パネル連結体（３）は、図３１に示すように、各固定位置（Ａ１），（Ａ２）に配置される。
各第２パネル連結体（３），（３）において、第２連結平板部（２０）は、図３２及び図３３に示すように、連結裏平面（２０ｂ）を第１取付表平板部（７５）の取付表平面（７５ａ）に当接して、第１ガイドレール（７１：他方のガイドレール）に平行配置する。
【０１２３】
各固定位置（Ａ１），（Ａ２）において、第２固定平板部（２１）は、図３２及び図３３に示すように、下段・太陽電池パネルユニット（ＰＵ１）の第１固定平板部（１１）に重ね配置される。
第２固定平板部（２１）は、接触裏平面（２１ｂ）を接触表平面（１１ａ）に当接して、第１固定平板（１１）上に重ね配置される。第２固定平板部（２１）及び第１固定平板部（１１）は、接触裏平面（２１ｂ）に直交する上下方向（ＵＴ）において、重ねて平行配置される。
【０１２４】
各固定位置（Ａ１），（Ａ２）において、取付ナット（４２）は、図３２及び図３３に示すように、第１及び第２固定平板部（１１），（２１）のナット収納穴（１４），（２４）に収納される。取付ナット（４２）は、上下方向（ＵＴ）において、各ナット収納穴（１４），（２４）から突出しない。
【０１２５】
各固定位置（Ａ１），（Ａ２）において、固定ボルト（４０）のネジ軸部（４０Ａ）は、図３２及び図３３に示すように、重ね配置した第１及び第２固定板部（１１），（２１）の各ナット収納穴（１４），（２４）を挿通して、第２固定板部（２１）から突出される。
【０１２６】
中段・太陽電池パネルユニット（ＰＵ２）において、第１パネル取付装置（Ｘ３），（Ｘ４）の第２パネル連結体（３）は、図３４及び図３５に示すように、各固定位置（Ａ３），（Ａ４）に配置される。
各第２パネル連結体（３），（３）において、第２連結平板部（２０）は、図３４及び図３５に示すように、連結裏平面（２０ｂ）を第２取付表平板部（７８）の取付表平面（７８ａ）に当接して、第２ガイドレール（７２：他方のガイドレール）に平行配置する。
各固定位置（Ａ３），（Ａ４）において、第２固定平板部（２１）は、図３４及び図３５に示すように、上段・太陽電池パネルユニット（ＰＵ３）の第１固定平板部（１１）に重ね配置される。
第２固定平板部（２１）は、接触裏平面（２１ｂ）を接触表平面（１１ａ）に当接して、第１固定平板（１１）上に重ね配置される。第２固定平板部（２１）及び第１固定平板部（１１）は、接触裏平面（２１ｂ）に直交する上下方向（ＵＴ）において、重ねて平行配置される。
【０１２７】
各固定位置（Ａ３），（Ａ４）において、取付ナット（４２）は、図３４及び図３５に示すように、第１及び第２固定平板部（１１），（２１）のナット収納穴（１４），（２４）に収納される。各取付ネット（４２），（４２）は、上下方向（ＵＴ）において、各ナット収納穴（１４），（２４）から突出しない。
【０１２８】
各固定位置（Ａ３），（Ａ４）において、固定ボルト（４０）のネジ軸部（４０Ａ）は、図３４及び図３５に示すように、重ね配置した第１及び第２固定板部（１１），（２１）の各ナット収納穴（１４），（２４）を挿通して、第２固定板部（２１）から突出される。
これにより、中段・太陽電池パネルユニット（ＰＵ３）は、各ガイドレール体（１），（１）上に配置される。
【０１２９】
中段・太陽電池パネルユニット（ＰＵ２）は、図３１乃至図３５に示すように、各固定位置（Ａ１）〜（Ａ４）において、各第２パネル連結体（３），（３）、各選択パネル連結体（３），（３）、各固定ボルト（４０），（４０），…及び各取付ナット（４２），（４２），…で各ガイドレール体（１），（１）上に支持される。
【０１３０】
＜第１１工程：太陽電池パネルユニット（Ｙ１〜Ｙ３）・固定＞
図８、図３６乃至図４１において、第１乃至第３パネル取付装置（Ｘ１），（Ｘ２），…は、各太陽電池パネルユニット（ＰＵ１）〜（ＰＵ３）を固定する。
【０１３１】
第１パネル取付装置（Ｘ１），（Ｘ２）は、図３６及び図３７に示すように、各固定位置（Ａ１），（Ａ２）において、下段及び中段・太陽電池パネルユニット（ＰＵ１），（ＰＵ２）を固定する。
【０１３２】
第１パネル取付装置（Ｘ１），（Ｘ２）において、固定締結体（６）の平座金（４３）及びバネ座金（４５）は、固定ボルト（４０）に外嵌（装着）される。各固定位置（Ａ１），（Ａ２）において、平座金（４３）は、重ね配置した第２連結平板部（２１）の連結表平面（２０ａ）に当接して配置される。平座金（４３）は、第２固定平板部（２１）のナット収納穴（２４）を閉塞する。固定ボルト（４０）のネジ軸部（４０Ａ）は、平座金（４３）及びバネ座金（４５）を挿通して突出される。
【０１３３】
第１パネル取付装置（Ｘ１），（Ｘ２）において、固定締結体（６）の固定ナット（４１）は、固定ボルト（４０）に螺着される。各固定位置（Ａ１），（Ａ２）において、固定ナット（４１）は、バネ座金（４５）から突出するネジ軸部（４０Ａ）に螺着され、重ね配置した第２固定板部（２１）側に向けて回動される。固定ナット（４１）は、バネ座金［４５：平座金（４３）／重ね配置した第２固定平板部（２１）］に当接する。
【０１３４】
固定ナット（４１）は、固定ボルト（４０）の六角頭部（４０Ｂ：ボルト頭部）とでバネ座金（４５）、平座金（４３）、第１及び第２固定平板部（１１），（１２）及びガイド平板本体（８５）を締結（締付け挟持）して、第１及び第２パネル連結体（２），（３）をガイドキャリッジ（７８）に固定する。
【０１３５】
第１パネル連結体（２）及びガイドキャリッジ（７３）において、第１連結平板部（１１）及び第２ガイド突起（８７）は、固定ボルト（４０）及び固定ナット（４０）による締結に伴って、第２ガイドレール（７２）の第２取付表平板部（７８）を締付け挟持する。
第２パネル連結体（３）及びガイドキャリッジ（７３）において、第２連結平板部（２１）及び第１ガイド突起（８６）は、固定ボルト（４０）及び固定バット（４１）の締結に伴って、第１ガイドレール（７１）の第１取付表平板部（７５）を締付け挟持する。
これにより、各固定位置（Ａ１），（Ａ２）において、ガイドキャリッジ（７３）は、第１及び第２ガイドレール（７１），（７２）に固定される。
【０１３６】
各固定位置（Ａ１），（Ａ２）において、下段・太陽電池パネルユニット（ＰＵ１）の枠平板部（５２）、及び中段・太陽電池パネルユニット（ＰＵ２）の枠平板部（５３）は、第１パネル取付装置（Ｘ１），（Ｘ２）に固定される。
【０１３７】
第１パネル取付装置（Ｘ３），（Ｘ４）は、図３８及び図３９に示すように、各固定位置（Ａ３），（Ａ４）において、中段及び上段・太陽電池パネルユニット（ＰＵ２），（ＰＵ３）を固定する。
【０１３８】
第１パネル取付装置（Ｘ３），（Ｘ４）において、固定締結体（６）の平座金（４３）及びバネ座金（４５）は、固定ボルト（４０）に外嵌（装着）される。各固定位置（Ａ３），（Ａ４）において、平座金（４３）は、重ね配置した第２固定平板部（２１）の連結表平面（２０ａ）に当接して配置される。平座金（４３）は、第２固定平板部（２１）のナット収納穴（２４）を閉塞する。固定ボルト（４０）のネジ軸部（４０Ａ）は、平座金（４３）及びバネ座金（４５）を挿通して突出される。
【０１３９】
第1パネル取付具（Ｘ３），（Ｘ４）において、固定締結体（６）の固定ナット（４１）は、固定ボルト（４０）に螺着される。各固定位置（Ａ３），（Ａ４）において、固定ナット（４１）は、バネ座金（４５）から突出されるネジ軸部（４０Ａ）に螺着され、重ね配置した第２固定平板部（２１）に向けて回動される。固定ナット（４１）は、バネ座金［４５：平座金（４３）／重ね配置した第２固定平板部（２１）］に当接する。
【０１４０】
固定ナット（４１）は、固定ボルト（４０）の六角頭部（４０Ｂ：ボルト頭部）とでバネ座金（４５）、平座金（４３）、第1及び第２固定板部（１１），（２１）、及びガイド平板本体（８５）を締結（締付け挟持）して、第１及び第２パネル連結体（２），（３）をガイドキャリッジ（７３）に固定する。
【０１４１】
第１パネル連結体（２）及びガイドキャリッジ（７３）において、第１連結平板部（１１）及び第１ガイド突起（８６）は、固定ボルト（４０）及び固定ナット（４１）による締結に伴って、第１ガイドレール（７１）の第１取付表平板部（７５）を締付け挟持する。
第２パネル連結体（３）及びガイドキャリッジ（７３）において、第２連結平板部（２１）及び第２ガイド突起（８７）は、固定ボルト（４０）及び固定バット（４１）の締結に伴って、第２ガイドレール（７２）の第２取付表平板部（７８）を締付け挟持する。
これにより、各固定位置（Ａ３），（Ａ４）において、ガイドキャリッジ（７３）は、第１及び第２ガイドレール（７１），（７２）に固定される。
【０１４２】
各固定位置（Ａ３），（Ａ４）において、中段・太陽電池パネルユニット（ＰＵ２）の枠平板部（５２）、及び上段・太陽電池パネルユニット（ＰＵ３）の枠平板部（５３）は、第１パネル取付装置（Ｘ３），（Ｘ４）に固定される。
【０１４３】
第２パネル取付装置（Ｙ１），（Ｙ２）は、図４０に示すように、各固定位置（Ａ５），（Ａ６）において、上段・太陽電池パネルユニット（ＰＵ３）を固定する。
【０１４４】
図４０において、第２パネル取付具（Ｙ１），（Ｙ２）は、補足平板体（４６）を各固定位置（Ａ５），（Ａ６）に配置する。各固定位置（Ａ６），（Ａ６）において、補足平板体（４６）は、選択パネル連結体（２）に配置される。
補足平板体（４６）は、補足裏平面（４６ｂ）を連結表平面（１１ａ）に当接して、第１固定平板部（１１）上に重ねて平行配置する。
【０１４５】
各固定位置（Ａ５），（Ａ６）において、固定ボルト（４０）のネジ軸部（４０Ａ）は、第１固定平板部（１１）及び補足平板部（４６）の各ナット収納穴（１４），（４７）を挿通して、第１固定平板部（１１）から突出される。取付ナット（４２）は、第１固定平板部（１１）及び補足平板体（４６）の各ナット収納穴（１４），（４７）に収納される。
【０１４６】
第２パネル取付具（Ｙ１），（Ｙ２）において、固定締結体（６）の平座金（４３）及びバネ座金（４５）は、固定ボルト（４０）に外嵌（装着）される。各固定位置（Ａ５），（Ａ６）において、平座金（４３）は、重ね配置した補足平板体（４６）の補足表平面（４６ａ）に当接して配置される。平座金（４３）は、補足平板板（４６）のナット収納穴（４７）を閉塞する。固定ボルト（４０）のネジ軸部（４０Ａ）は、平座金（４３）及びバネ座金（４５）を挿通して突出される。
【０１４７】
第２パネル取付具（Ｙ１），（Ｙ２）において、固定締結体（６）の固定ナット（４１）は、固定ボルト（４０）に螺着される。各固定位置（Ａ５），（Ａ６）において、固定ナット（４１）は、バネ座金（４５）から突出されるネジ軸部（４０Ａ）に螺着され、補足平板体（４６）に向けて回動される。固定ナット（４１）は、バネ座金（４５）［４５：平座金（４３）／補足平板体（４６）］に当接する。
【０１４８】
固定ナット（４１）は、固定ボルト（４０）の六角頭部（４０Ｂ）とでバネ座金（４５）、平座金（４３）、補足平板体（４６），第1固定平板部（２１）及びガイド平板本体（８５）を締結（締付け挟持）して、各選択パネル連結体（２），（２）をガイドキャリッジ（７３）に固定する。
【０１４９】
選択パネル連結体（２）及びガイドキャリッジ（７３）において、第１連結平板部（１１）及び第２ガイド突起（８７）は、固定ボルト（４０）及び固定ナット（４０）による締結に伴って、第２ガイドレール（７２）の第２取付表平板部（７８）を締付け挟持する。
これにより、各固定位置（Ａ５），（Ａ６）において、ガイドキャリッジ（７３）は第２ガイドレール（７２）に固定される。
【０１５０】
各固定位置（Ａ５），（Ａ６）において、上段・太陽電池パネルユニット（ＰＵ３）の枠平板部（５２）は、第２パネル取付具（Ｙ１），（Ｙ２）に固定される。
【０１５１】
第３パネル取付装置（Ｚ１），（Ｚ２）は、図４１に示すように、各固定位置（Ａ７），（Ａ８）において、下段・太陽電池パネルユニット（ＰＵ１）を固定する。
【０１５２】
第３パネル取付装置（Ｚ１），（Ｚ２）において、固定締結体（６）の平座金（４３）及びバネ座金（４５）は、固定ボルト（４０）に外嵌（装着）される。各固定位置（Ａ５），（Ａ６）において、平座金（４３）は、重ね配置した第２固定平板部（２１）の連結表平面（２０ａ）に当接して配置される。平座金（４３）は、第２固定平板部（２１）のナット収納穴（２４）を閉塞する。固定ボルト（４０）のネジ軸部（４０Ａ）は、平座金（４３）及びバネ座金（４５）を挿通して突出される。
【０１５３】
第３パネル取付装置（Ｚ１），（Ｚ２）において、固定連結体（６）の固定ナット（４１）は、固定ボルト（４０）に螺着される。各固定位置（Ａ７），（Ａ８）において、固定ナット（４１）は、バネ座金（４５）から突出されるネジ軸部（４０Ａ）に螺着され、第２固定平板部（２１）に向けて回動される。固定ナット（４１）は、バネ座金［４５：平金座（４３）／第２固定平板部（２１）の連結表平面（２０ａ）］に当接する。
【０１５４】
固定ナット（４１）は、固定ボルト（４０）の六角頭部（４０Ｂ）とでバネ座金（４５）、平座金（４３）、第２固定板部（２１）、補足平板体（４６）及びガイド平板本体（８５）を締結（締付け挟持して）、各選択パネル連結体（３），（３）をガイドキャリッジ（７３）に固定する。
【０１５５】
選択パネル連結体（３）及びガイドキャリッジ（７３）において、第２連結平板部（２１）及び第１ガイド突起（８６）は、固定ボルト（４０）及び固定バット（４１）の締結に伴って、第１ガイドレール（７１）の第１取付表平板部（７５）を締付け挟持する。
これにより、各固定位置（Ａ７），（Ａ８）において、ガイドキャリッジ（７３）は、第１ガイドレール（７１）に固定される。
【０１５６】
各固定位置（Ａ５），（Ａ６）において、下段・太陽電池パネルユニット（ＰＵ３）の枠平板部（５３）は、第３パネル取付具（Ｚ１），（Ｚ２）に固定される。
【０１５７】
第１乃至第１１工程において、第１乃至第３パネル取付装置（Ｘ１），（Ｘ２），…は、各太陽電池パネルユニット（ＰＵ１）〜（ＰＵ３）を固定して、図９に示すように、太陽電池アレイ組立体（ＢＳＫ）を構成する。
また、第１乃至第３パネル取付装置（Ｘ１），（Ｘ２），…は、複数の太陽電池パネルユニット（ＰＵ１），（ＰＵ２），…を固定するパネル取付システム（ＰＳＳ）を構成する（図９参照）。パネル取付システム（ＰＳＳ）は、第１乃至第３パネル取付装置（Ｘ１），（Ｘ２），…を用いて、第１乃至第１１工程において、複数の太陽電池パネルユニット（ＰＵ１），（ＰＵ２），…を並列（例えば、１列×３行）して固定する。
【０１５８】
太陽電池アレイ組立体（ＢＳＳ）において、第１乃至第３パネル取付装置（Ｘ１），（Ｘ２），…の第１及び第２連結平板部（１０），（２０）は、連結表平面（１０ａ），（２０ａ）及び連結裏平面間（１０ｂ），（２０ｂ）間で同一板厚：Ｐを有する。
第１連結平板部（１０），（２０）は、連結表平面（１０ａ）、（２０ａ）を各枠平板部（５２），（５３）に当接して平行配置し、連結裏平面（１０ｂ），（２０ｂ）を第１及び第２取付表平板部（７５），（７８）の取付表平面（７５ａ），（７８ａ）に当接して平行配置される。
また、第１及び第２ガイドレール（７１），（７２）において、第１及び第２取付表平板部（７５），（７８）は同一平面（Ａ）で平行配置される。
これにより、各太陽電池パネルユニット（ＰＵ１）〜（ＰＵ３）の太陽電池パネル（ＳＰ）は、第１及び第２ガイドレール（７１）１），（７２）の取付表平板部（７５）、（７８）に平行する同一平面に配置される。
【０１５９】
図９において、太陽電池アレイ組立体（ＢＳＳ）は、例えば複数の固定レール（１０１），（１０１）に取付けられ、集合住宅，ビル等の外壁、家屋、地上等の設置対象物（ＳＴ）に設置される（図４２参照）。なお、第１乃至第３パネル取付装置（Ｘ１），（Ｘ２），…の各ガイドレール体（１），（１），…は、第２工程において、各固定レール（１０１），（１０１）に取付けられ、各固定レール（１０１），（１０１）は設置対象物（ＳＴ）に設置される（図４２参照）。
太陽電池アレイ組立体（ＢＳＳ）は、例えば家屋の屋根（１０２）に傾斜して設置される［図（４２（ａ）参照］。
また、太陽電池アレイ組立体（ＢＳＳ）は、例えばビルの外壁（１０３）に設置される［図４２（ｂ）参照］。
【０１６０】
第１乃至第３パネル取付装置（Ｘ１），（Ｘ２），…は、ガイドキャリッジ（７３）をガイドレール体（１）の長手方向（ＮＴ）に移動自在として、第１及び第２ガイドレール（７１），（７２）に配置する。
これにより、第１乃至第３パネル取付装置（Ｘ１），（Ｘ２），…は、ガイドキャリッジ（７３）を移動することで、ガイドキャリッジ（７３）は各太陽電池パネルユニット（ＰＵ１）〜(ＰＵ３)のパネル穴（５４）又は第１及び第２パネル連結体（２），（３）に対して、微調整（位置調整）して配置できる。このとき、ガイドレール体（１）の第１及び第２ガイドレール（７１），（７２）を移動する必要がなく、作業性に優れたものとなる。
また、第１乃至第３パネル取付装置（Ｘ１），（Ｘ２），…は、ガイドキャリッジ（７３）を太陽電池パネルユニット（ＰＵ１）〜（ＰＵ３）の任意位置に配置でき、例えば、各パネル穴（５４），（５４）間の間隔：Ｐの異なる仕様の太陽電池パネルユニット（ＰＵ１）〜（ＰＵ３）であっても、簡単な作業で位置調整して固定することができる。
【０１６１】
＜各太陽電池パネルユニット（ＰＵ１〜ＰＵ３）・取外方法＞
次に、各太陽電池パネルユニット（ＰＵ１）〜（ＰＵ３）の取外方法（取外手順）について説明する。
【０１６２】
＜中段・太陽電池パネルユニット（ＰＵ２）・取外＞
第１パネル取付装置（Ｘ１）〜（Ｘ４）は、固定ナット（４１）を回動して、締付けを解除（締結解除）する。各固定位置（Ａ１）〜（Ａ４）において、固定ナット（４１）は、固定ボルト（４０）から取外す（図３６乃至図３９参照）。
続いて、中段・太陽電池パネルユニット（ＰＵ２）を各ガイドレール（７１），（７２）及びガイドキャリッジ（７３）から持ち上げて、各第２パネル連結体（３），（３），…のナット収納穴（２４）から固定ボルト（４０）及び取付ナット（４２）を抜出す。
これにより、中段・太陽電池パネルユニット（ＰＵ２）を、第１パネル取付装置（Ｘ１）〜（Ｘ４）から取出すことができる。
このとき、下段及び上段・太陽電池パネルユニット（ＰＵ１），（ＰＵ３）は、第２及び第３パネル取付装置（Ｙ１），（Ｙ２），（Ｚ１），（Ｚ２）に固定されており、これら太陽電池パネルユニット（ＰＵ１），（ＰＵ３）を取外すことなく、中段・太陽電池パネルユニット（ＰＵ２）を取外すことができる。
【０１６３】
＜下段・太陽電池パネルユニット（ＰＵ１）・取外＞
中段・太陽電池パネルユニット（ＰＵ２）を取出した後、第３パネル取付装置（Ｚ１），（Ｚ２）は、固定ナット（４１）を回動して、締付けを解除（締結解除）する。各固定位置（Ａ７），（Ａ８）において、固定ナット（４１）は、固定ボルト（４０）から取外す（図４１参照）。
続いて、下段・太陽電池パネルユニット（ＰＵ１）を各ガイドレール（７１），（７２）及びガイドキャリッジ（７３）から持ち上げて、各第１パネル連結体（２），（２）のナット収納穴（２４）、及び各選択パネル連結体（３），（３）のナット収納穴（１４）から固定ボルト（４０）及び取付ナット（４２）を抜出す。
これにより、下段・太陽電池パネルユニット（ＰＵ１）を、第２パネル取付装置（Ｙ１），（Ｙ２）及び第１パネル取付装置（Ｘ１），（Ｘ２）から取外すことができる。
【０１６４】
＜上段・太陽電池パネルユニット（ＰＵ３）・取外＞
中段・太陽電池パネルユニット（ＰＵ２）を取外した後、第２パネル取付装置（Ｙ１），（Ｙ２）は、固定ナット（４１）を回動して、締付けを解除（締結開除）する。各固定位置（Ａ５），（Ａ６）において、固定ナット（４１）は、固定ボルト（４０）から取外す（図４０参照）。
続いて、上段・太陽電池パネルユニット（ＰＵ３）を各ガイドレール（７１），（７２）及びガイドキャリッジ（７３）から持ち上げて、各第２パネル連結体（２），（２）及び各選択パネル連結体（２），（２）のナット収納穴（１４）から固定ボルト（４０）及び取付ナット（４２）を抜出す。
これにより、上段・太陽電池パネルユニット（ＰＵ３）を、第２パネル取付装置（Ｙ１），（Ｙ２）及び第１パネル取付装置（Ｘ３），（Ｘ４）から取外すことができる。
【０１６５】
第１乃至第３実施形態のパネル取付装置（Ｘ），（Ｙ），（Ｚ）では、複数の太陽電池パネルユニット（ＰＵ），（ＰＵ）…を１列×３行に並列する太陽電池アレイ（ＢＳ）について説明したが、これに限定されず、複数の太陽電池パネルユニット（ＰＵ），（ＰＵ）…をＮ列×ｎ行［Ｎ＝１，２，３，…（自然数）、ｎ＝１，２，３，…（自然数）］に並列して、太陽電池パネルアレイを構成しても良い。
第１パネル取付装置（Ｘ）は、各太陽電池パネルユニット間に配置し、第２パネル取付具（Ｙ），（Ｚ）は、太陽電池アレイ外縁を構成する太陽電池パネルユニットに配置すれば良い。
【０１６６】
第１乃至第３実施形態のパネル取付装置（Ｘ），（Ｙ），（Ｚ）において、第1及び第２連結平板部（１０），（２０）は、連結表平面（１０ａ），（２０ａ）及び連結裏平面（１０ｂ），（２０ｂ）間で異なる板厚とする構成を採用できる。
これにより、複数の太陽電池パネルユニット（ＰＵ），（ＰＵ），…の太陽電池パネル（ＳＰ）は、上下方向（ＵＴ）において、段差を持って第１及び第２ガイドレール（７１），（７２）の取付表平板部（７５），（７８）に平行配置できる。
【０１６７】
第１乃至第３実施形態のパネル取付装置（Ｘ），（Ｙ），（Ｚ）において、太陽電池パネルユニット（ＰＵ）を固定する適用例を説明したが、パネルユニット（ＰＵ）としては、太陽電池パネルユニットに限定されず、建材パネルユニットであっても良い。
建材パネルユニットは、例えば、外装パネル、断熱パネル等の建材パネル（矩形建材パネル）を有する。建材パネルユニット（ＫＰＵ）は、図１０に示すように、太陽電池パネル（ＳＰ）に換えて、建材パネル（ＫＰ）で構成し、パネル枠（ＰＦ）を含んでなる。パネル枠（ＰＦ）は、建材パネル（ＫＰ）外縁を支持し、枠平板部（５２），（５３）を有する。
これにより、複数の建材パネルユニット（ＫＰＵ），（ＫＰＵ），…は、第１乃至第１１工程を実行することで、第１乃至第３パネル取付装置（Ｘ１），（Ｘ２），…に固定できる。
【０１６８】
第１乃至第３実施形態のパネル取付装置（Ｘ），（Ｙ），（Ｚ）では、パネルユニット（ＰＵ：太陽電池パネルユニット、建材パネルユニット）を固定する適用例について説明したが、例えば建材パネルを直接、第１乃至第３パネル取付装置（Ｘ），（Ｙ），（Ｚ）に固定しても良い。
【０１６９】
図４３において、建材パネル（ＫＰ）は、矩形パネル（長方形パネル）に形成され、複数のパネル穴（６４），（６４），（６４），（６４）を有する。各パネル穴（６４），（６４），…は、建材パネル（ＫＰ）の長手方向（ＮＴ）に直交する上下方向（ＵＴ）において、建材パネル（ＫＰ）を挿通（貫通）している。
各パネル穴（６４），（６４）は、建材パネル（ＫＰ）の一方長辺側に位置して、長手方向（ＮＴ）に間隔：Ｐを隔てて配置される。各パネル穴（６４），（６４）は、建材パネル（ＫＰ）の他方長辺側に位置して、長手方向（ＮＴ）に間隔：Ｐを隔てて配置される。
建材パネル（ＫＰ）は、図４４に示すように、例えば、１列×３行に複数配置して、建材パネルアレイ（ＢＳ）を形成する。
【０１７０】
複数の建材パネル（ＫＰ），（ＫＰ），…は、複数の太陽電池パネルユニット（ＰＵ１）〜（ＰＵ３）と同様、第１乃至第１１工程（図１１乃至図４１参照）を実行することで、各固定位置（Ａ１）〜（Ａ８）において、第１乃至第３パネル取付装置（Ｘ１），（Ｘ２），…に固定される。
これにより、第１乃至第３パネル取付装置（Ｘ１），（Ｘ２），…は、図４４に示すように、複数の建材パネル（ＫＰ）を固定して、建材パネル組立体（ＢＳＳ）を構成する。また、第１乃至第３パネル取付装置（Ｘ１），（Ｘ２），…は、複数の建材パネル（ＫＰ），（ＫＰ），…を固定するパネル取付システム（ＰＳＳ）を構成する（図４４参照）
【０１７１】
なお、第４乃至第７工程において、第１パネル連結体（２）及び選択パネル連結体（２）は、図４５及び図４６に示すように、第１連結平板部（１０）の連結表平面（１０ａ）を建材パネル（ＫＰ）の裏平面（６５ｂ）に当接して平行配置する。
第１連結ボルト（３０）は、図４５及び図４６に示すように、ネジ軸部（３０Ａ）を平座金（３２）、建材パネル（ＫＰ）のパネル穴（６４）、第１連結平板部（１０）の連結穴（１２）、平座金（３３）及びバネ座金（３４）を挿通して、バネ座金（３４）から突出させる。
これにより、第１連結ボルト（３０）の六角頭部（３０Ｂ：ボルト頭部）及び第１連結ナット（３１）で建材パネル（ＫＰ）及び第１連結平板部（１０）等を締結（締付け挟持）して、第１パネル連結体（２）、選択パネル連結体（２）を直接、建材パネル（ＫＰ）に固定する。
【０１７２】
また、第４乃至第７工程において、第２パネル連結体（３）及び選択パネル連結体（３）は、図４５及び図４６に示すように、第２連結平板部（２０）の連結表平面（２０ａ）を建材パネル（ＫＰ）の裏平面（６５ｂ）に当接して平行配置する。
第２連結ボルト（３５）は、図４５及び図４６に示すように、ネジ軸部（３５Ａ）を平座金（３７）、建材パネル（ＫＰ）のパネル穴（６４）、第２連結平板部（２１）の連結穴（２２）、平座金（３８）及びバネ座金（３９）を挿通して、バネ座金（３９）から突出させる。
これにより、第２連結ボルト（３５）の六角頭部（３５Ｂ：ボルト頭部）及び第２連結ナット（３６）で建材パネル（ＫＰ）及び第２連結平板部（２０）等を締結（締付け挟持）して、第２パネル連結体（３）、選択パネル連結体（３）を直接、建材パネル（ＫＰ）に固定する。
【産業上の利用可能性】
【０１７３】
本考案は、太陽電池パネルユニット、建材パネル等を固定するのに最適である。
【符号の説明】
【０１７４】
Ｘ  第１パネル取付具（第１実施形態）
１  ガイドレール体
２  第１パネル連結体（選択パネル連結体）
３  第２パネル連結体（選択パネル連結体）
４  第１締結体
５  第２締結体
６  固定締結体
１０  第１連結平板部
１１  第２固定平板部
２０  第２連結平板部
２１  第２固定平板部
３０  第１連結ボルト
３１  第１連結ナット
３５  第２連結ボルト
３６  第２連結ナット
４０  固定ボルト
４１  固定ナット
７１  第１ガイドレール
７２  第２ガイドレール
７３  ガイドキャリッジ
７５  第１取付表平板部
７７  第１ガイド溝
７８  第２取付表平板部
８０  第２ガイド溝
８６  第１ガイド突起
８７  第２ガイド突起
【図１】
0003180210.tif 000003
【図２】
0003180210.tif 000004
【図３】
0003180210.tif 000005
【図４】
0003180210.tif 000006
【図５】
0003180210.tif 000007
【図６】
0003180210.tif 000008
【図７】
0003180210.tif 000009
【図８】
0003180210.tif 000010
【図９】
0003180210.tif 000011
【図１０】
0003180210.tif 000012
【図１１】
0003180210.tif 000013
【図１２】
0003180210.tif 000014
【図１３】
0003180210.tif 000015
【図１４】
0003180210.tif 000016
【図１５】
0003180210.tif 000017
【図１６】
0003180210.tif 000018
【図１７】
0003180210.tif 000019
【図１８】
0003180210.tif 000020
【図１９】
0003180210.tif 000021
【図２０】
0003180210.tif 000022
【図２１】
0003180210.tif 000023
【図２２】
0003180210.tif 000024
【図２３】
0003180210.tif 000025
【図２４】
0003180210.tif 000026
【図２５】
0003180210.tif 000027
【図２６】
0003180210.tif 000028
【図２７】
0003180210.tif 000029
【図２８】
0003180210.tif 000030
【図２９】
0003180210.tif 000031
【図３０】
0003180210.tif 000032
【図３１】
0003180210.tif 000033
【図３２】
0003180210.tif 000034
【図３３】
0003180210.tif 000035
【図３４】
0003180210.tif 000036
【図３５】
0003180210.tif 000037
【図３６】
0003180210.tif 000038
【図３７】
0003180210.tif 000039
【図３８】
0003180210.tif 000040
【図３９】
0003180210.tif 000041
【図４０】
0003180210.tif 000042
【図４１】
0003180210.tif 000043
【図４２】
0003180210.tif 000044
【図４３】
0003180210.tif 000045
【図４４】
0003180210.tif 000046
【図４５】
0003180210.tif 000047
【図４６】
0003180210.tif 000048